(57)【要約】【課題】３キロパーセク・アームはどのようにできたか。銀河系はどのようにできたか。腕はどのようにできたか。【解決手段】３キロパーセク・アームの中心のブラックホールの質量を、螺旋回転速度と半径より求め、大きい腕や中位の腕や小さい腕のブラックホールの質量と比べる。10−16ｍ時代、１ｍ3の原子数は1018個とする。この事から銀河系の質量(原子数)が集まった体積を知る。その体積は現在、内側のハローです。この比から、クエーサーや大きい腕の軌道や中位の腕の軌道や小さい腕の軌道の大きさを知る。10−16ｍ時代、腕の軌道から、腕の体積を知り、体積がそのまま腕のリングになるとして、腕のリングの半径を知る、腕のリングとクエーサーの距離を知る。腕のリングはクエーサーの中心のブラックホールに引かれ、腕に成るから、この間の引力を知る。【選択図】図２
2009005580.tif 000002
【特許請求の範囲】
【請求項１】
銀河系の中心の106太陽質量のブラックホールが、軌道速度を作っていると、中心から、10光年の軌道、1000光年の軌道、2000光年の軌道、104光年の軌道の速度はいくらか。
10光年の軌道速度。
公転速度2＝5.4×1018＋2n/3J・Km÷半径
公転速度2＝5.4×1018＋2×6/3J・Km÷(10×9.46×1012Km)=5.708×108Ｊ
公転速度＝(5.708×108)1/2=2.389×104Km
1000光年の軌道速度。
公転速度2＝5.4×1018＋2×6/3J・Km÷(103×9.46×1012Km)=5.708×106Ｊ
公転速度＝(5.708×106)1/2=2.389×103Km
2000光年の軌道速度。
公転速度2＝5.4×1018＋2×6/3J・Km÷(2×103×9.46×1012Km)=2.854×106Ｊ
公転速度＝(2.854×106)1/2=1.689×103Km
104光年の軌道速度。
公転速度2＝5.4×1018＋2×6/3J・Km÷(104×9.46×1012Km)=5.708×105Ｊ
公転速度＝(5.708×105)1/2=7.555×102Km
この事により理解できる事。
銀河系の中心から10光年のリング、1000光年の高密度の分子雲のリング、2000光年のガス円盤、3キロパーセク・アームの回転は公転ではなく、螺旋回転です。
【請求項２】
3キロパーセク・アームの螺旋回転速度はいくらか。中心のブラックホールの質量は太陽質量の何倍か。      
銀河系の中心1万光年のところに、3パーセク・アームが存在する。これはリング状の中性水素ガス雲であり、厚さは300光年で、秒速150Ｋｍで回転しながら、秒速50Ｋｍで膨張している。
・3キロパーセク・アームの螺旋回転速度はいくらか。
私は、2008年1月4日に提出した特願2008−23309の「請求項20」で、(公転は螺旋回転によりできる。と記し、「請求項21」で、銀河系の腕を3種類に分類し、大きい腕、中位の腕、小さい腕、が螺旋回転し、進む距離の割合は、0.112です。螺旋回転の0.112は進行方向に向かって走る。)と記しました。
3キロパーセク・アームの公転速度は、秒速150Ｋｍです。
螺旋回転の速度は、
螺旋回転速度＝公転速度÷0.112＝150Ｋｍ÷0.112＝1339Ｋｍです。
3キロパーセク・アームの螺旋回転速度は、秒速1339Ｋｍです。
・3キロパーセク・アームの中心のブラックホールの質量は太陽質量の何倍か。
太陽質量の10n倍とする。
半径は、厚さ÷2＝300光年÷2＝150光年です。
螺旋回転の速度2＝軌道のエネルギー×79.7＝5.4×1018＋2n/3J・Ｋｍ÷半径×79.7
(1339Ｋｍ)2＝5.4×1018＋2n/3J・Ｋｍ÷(1.5×102×9.46×1012Ｋｍ)×79.7
1018＋2n/3＝(1.339×103)2÷5.4×1.5×102×9.46×1012÷79.7＝5.9×1018＝100.7709×1018＝1018.7709
18＋2n/3=18.7709
2n/3=0.7709
n=0.7709×3÷2＝1.1564
101.1564＝10×100.1564＝10×1.433＝14.33
よって、中心のブラックホールの質量は、太陽質量の14.33倍です。
【請求項３】
銀河系の中心から約2000光年のところに、厚さは200光年で、秒速200Ｋｍで回転する中性水素ガスから成るガス円盤がある。このガス円盤の螺旋回転速度はいくらか。中心のブラックホールの質量は太陽質量の何倍か。
・ガス円盤の螺旋回転速度はいくらか。
ガス円盤の公転は、秒速200Ｋｍです。
螺旋回転速度＝公転速度÷0.112＝200Ｋｍ÷0.112＝1785.7Ｋｍ
ガス円盤の螺旋回転速度は、秒速1785.7Ｋｍです。
・ガス円盤の中心のブラックホールの質量は太陽質量の何倍か。
半径は厚さ÷2＝200光年÷2＝100光年です。
螺旋速度2＝5.4×1018＋2ｎ/3J・Km÷半径×79.7
(1785.7)2＝5.4×1018＋2ｎ/3J・Km÷(102×9.46×1012Ｋｍ)×79.7
1018＋2ｎ/3J＝(1.785×103)2÷5.4×102×9.46×1012÷79.7＝7×1018＝100.8451＋18＝1018.8451
18＋2n/3=18.8451
2n/3=0.8451
n=0.8451×3÷2＝1.2677
101.2677＝10×100.2677＝10×1.852
ガス円盤の中心のブラックホールの質量は太陽質量の18.52倍です。
【請求項４】
円盤の中には、中心から1000光年のところに、特に密度の高い分子雲のリングが存在している。このリングは秒速50Ｋｍで回転しながら秒速130Ｋｍの速さで膨張している。この高密度の分子雲のリングの螺旋回転速度はいくらか。中心のブラックホールの質量は太陽質量の何倍か。
・高密度の分子雲のリングの螺旋回転速度はいくらか。
リングの公転速度は、秒速50Ｋｍです。リングの半径を200光年÷2＝100光年とする。
螺旋回転速度＝公転速度÷0.112＝50Ｋｍ÷0.112＝446.4Ｋｍ
リングの螺旋回転速度は、秒速446.4Ｋｍです。
・リングの中心のブラックホールの質量は太陽質量の何倍か。
リングの半径を200光年÷2＝100光年とする。
螺旋回転速度2＝5.4×1018＋2ｎ/3J・Km÷半径×79.7
446.42＝5.4×1018＋2ｎ/3J・Km÷(102×9.46×1012Ｋｍ)×79.7
1018＋2ｎ/3J＝446.42÷5.4×102×9.46×1012÷79.7＝4.38×1017＝100.6415＋17＝1017.6415
18＋2n/3=17.6415
ｎ＝(17.6415−18)×3÷2＝−0.3585×3÷2＝−0.5378＝−1＋0.4623
10−1＋0.4623＝0.1×2.9＝0.29
リングの中心のブラックホールの質量は太陽質量の0.29倍です。
【請求項５】
銀河系の中心から10光年のところに、分子雲のリングがあり、秒速100Ｋｍで回転しながら秒速60Ｋｍ程度で膨張している。このリングの螺旋回転速度はいくらか。中心のブラックホールの質量は太陽質量の何倍か。
・螺旋回転速度はいくらか。
このリングの公転は、秒速100Ｋｍです。
螺旋回転速度＝公転速度÷0.112＝100Ｋｍ÷0.112＝892.9Ｋｍ
螺旋回転速度は、秒速892.9Ｋｍです。
・このリングの中心のブラックホールの質量は太陽質量の何倍か。
１．10光年のところのリングの半径を、10÷４＝2.5光年とする。
螺旋回転速度2＝5.4×1018＋2ｎ/3JKm÷半径×79.7
892.92＝5.4×1018＋2ｎ/3JKm÷(2.5×9.46×1012Ｋｍ)×79.7
1018＋2ｎ/3J＝892.92÷5.4×2.5×9.46×1012÷79.7＝4.381×1016＝100.6416×1016＝1016.6416
18＋2n/3=16.6416
n=(16.6416−18)×3÷2＝−1.3584×3÷2＝−2.0376＝−3＋0.9624
10−3＋0.9624＝10−3×100.9624＝10−3×9.17＝0.00917
このリングの中心のブラックホールの質量は太陽質量の0.00917倍です。
2．10光年のところのリングの半径を、10÷10＝１光年とする。
892.92＝5.4×1018＋2ｎ/3JKm÷(9.46×1012Ｋｍ)×79.7
1018＋2ｎ/3J＝892.92÷5.4×9.46×1012÷79.7＝1.752×1016＝100.2435×1016＝1016.2435
18＋2n/3=16.2435
n=(16.2435−18)×3÷2＝−1.7565×3÷2＝−2.6348＝−3＋0.3653
10−3＋0.3653＝10−3×100.3653＝10−3×2.319＝0.0023
このリングの中心のブラックホールの質量は太陽質量の0.0023倍です。
【請求項６】
リングの半径と螺旋回転速度により、ブラックホールの質量は違ってくる。リングの半径を、Y光年とする場合、中心のブラックホールの質量は太陽質量の何倍かを求める式はどのようであるか。
螺旋回転速度2＝5.4×1018＋2ｎ/3J・Km÷半径×79.7
螺旋回転速度2＝5.4×1018＋2ｎ/3J・Km÷半径×79.7
螺旋回転速度2＝5.4×1018＋2ｎ/3J・Km÷(Y×9.46×1012Ｋｍ)×79.7
1018＋2ｎ/3J＝螺旋回転速度2÷5.4×Y×9.46×1012÷79.7＝螺旋回転速度2×2.198×1010×Y＝螺旋回転速度2×100.3420＋10×Y＝螺旋回転速度2×1010.3420×Y
18＋2n/3=10.3420＋log10Y＋log10螺旋回転速度2
ｎ＝(10.3420＋log10Y+
log10螺旋回転速度2−18)×3÷2
ｎ＝(−7.658＋log10Y+ log10螺旋回転速度2)×1.5
リングの半径を、Y光年とする場合、中心のブラックホールの質量は太陽質量の何倍かを求める式は、10ｎ倍とすると、ｎ＝(−7.658＋log10Y+ log10螺旋回転速度2)×1.5です。
例えば、リングの公転速度が秒速50Ｋｍで、半径Y=100光年とすると、
螺旋回転速度＝50Ｋｍ÷0.112＝446.4Ｋｍ
n＝(−7.658＋log10100+ log10446.42)×1.5＝(−7.658＋log10100+ log10199273)×1.5＝(−7.658＋2＋5＋0.2996)×1.5＝−0.3584×1.5＝−0.5376＝−1＋0.4624
10−1＋0.4624＝0.1×2.9＝0.29
中心のブラックホールの質量は、太陽質量の0.29倍です。
【請求項７】
銀河の中心の、リングは何年前にできたか。
リングは等速で膨張しているとする。ｘ年で膨張したとする。
・中心から約104光年のとこるにある、3キロパーセク・アームは秒速50Ｋｍで膨張している。いつできたか。
50Ｋｍ×ｘ×365×24×60×60＝104×9.46×1012Ｋｍ
ｘ＝104×9.46×1012Ｋｍ÷(50Ｋｍ×365×24×60×60)＝6×107
3キロパーセク・アームは6×107年前にできた。
・円盤の中の、中心から約1000光年のところにある、高密度の分子雲のリングが秒速130Ｋｍで膨張している。いつできたか。
130Ｋｍ×ｘ×365×24×60×60＝103×9.46×1012Ｋｍ
ｘ＝103×9.46×1012Ｋｍ÷(130Ｋｍ×365×24×60×60)＝2.3×106
中心から1000光年のところの高密度の分子雲のリングは2.3×106年前にできた。
・中心から10光年くらいのところにある、分子雲のリングは秒速60Ｋｍで膨張している。いつできたか。
60Ｋｍ×ｘ×365×24×60×60＝10×9.46×1012Ｋｍ
ｘ＝10×9.46×1012Ｋｍ÷(60Ｋｍ×365×24×60×60)＝5×104
中心から10光年のところの分子雲のリングは5×104年前にできた。
まとめて表に示す。
【表１】
2009005580.tif 000033
【請求項８】
3キロパーセク・アームはどのようにできたか。
私は、3キロパーセク・アームは、腕の軌道が、中央のブラックホールの回転と引力に引かれてできた、と考えましたが、3キロパーセク・アームの中心のブラックホールの質量が14.33太陽質量である事から、3キロパーセク・アームは、腕が引かれてできたのではない、と考えます。
なぜなら、腕の中心のブラックホールの質量は次のように大きいからです。
次に2008年1月4日に提出した特願2008−23309の「請求項28」に示した、腕の中心のブラックホールの質量を示す。
【表２】
2009005580.tif 000034
この事から理解できる事。
1．3キロパーセク・アームは腕とは無関係である。
2．3キロパーセク・アームは棒の腕が引き巻かれてできたのではない。
3．3キロパーセク・アームは小さな腕が引き巻かれてできた物ではない。
【請求項９】
3キロパーセク・アーム、中心から1000光年の高密度のリング、中心から10光年のリングを作ったのは何か。
リングができてからの時間の比は、
6×107年前：2.3×106年前：5×104年前＝1200：46：１、です。
リングの中央のブラックホールの質量の比は、(10光年のリングの半径を2.5光年とした場合。)
14.33倍：0.29倍：0.00917倍＝1563：32：１
このことによって理解できる事。
1．リングができた年代が古いほど、できたリングの中心のブラックホールの質量は大きい。
2．リングを作った銀河の中心のエネルギーは、古い時代ほどエネルギーが高かった事を示す。
3．銀河の中心のエネルギーは、ブラックホールのエネルギーであり、ブラックホールのエネルギーは、時代が昔であればあるほど高エネルギーである。
4．銀河の中心のブラックホールのエネルギーは、時代の経過にしたがって、小さくなる。
5．銀河の中心のブラックホールの質量は、106太陽質量で普遍ですが、エネルギーは、時代の経過にしたがって、小さくなる。
【請求項１０】
中心がブラックホールに成るための質量について。
1．銀河やクエーサーの質量が太陽質量の何倍であると、中心はブラックホールに成るか。
私は、2007年8月25日に特許出願した、特願2007−256139の「請求項22」で、中心部が太陽質量のβ倍のクエーサーや銀河のＡの値は、Ａ＝4.325×104×β1/3です。と記した。
銀河やクエーサーの質量が太陽の10β倍の時、
Ａ＝4.325×104×10β/3、です。
ブラックホールのＡは7.378×105ですから、
ブラックホールのＡ＝7.378×105＝4.325×104×10β/3
10β/3＝7.378×105÷(4.325×104)＝1.706×10
10β＝(1.706×10)3＝4.965×103
銀河やクエーサーの質量が太陽質量の4.965×103倍であれば、中心部はブラックホールになる。
2．銀河やクエーサーの質量が太陽質量の何倍であると、中心部は太陽質量のブラックホールになるか。
太陽質量のブラックホールになるために必要な質量は、、
ブラックホールになるための質量×ブラックホールのＡ÷太陽の中心のＡ＝4.965×103太陽質量×7.378×105÷(3.873×103)＝9.458×105太陽質量です。
銀河やクエーサーの質量が太陽質量の9.458×105倍であると、中心部は太陽質量のブラックホールになる。
3．銀河やクエーサーの質量が太陽質量の何倍であると、中心部は太陽質量のＢ倍のブラックホールに成るか。
太陽質量のＢ倍であるから、2．のＢ倍の質量が必要です。
太陽質量のＢ倍のブラックホールになるために必要な質量は、
Ｂ×4.965×103太陽質量×7.378×105÷(3.873×103)＝Ｂ×9.458×105太陽質量です。
質量が太陽質量のＢ×9.458×105倍であると、中心部は太陽質量のＢ倍のブラックホールに成る。
例えば、銀河の中心部のブラックホールの質量が太陽質量の106倍の場合、銀河の質量は、
Ｂ×9.458×105太陽質量＝106×9.458×105太陽質量＝9.458×1011太陽質量です。
例えば、銀河の質量が6×1011太陽質量の場合、中心のブラックホールの質量は太陽質量の何倍か。
Ｂ×9.458×105太陽質量＝6×1011太陽質量
Ｂ＝6×1011太陽質量÷(9.458×105太陽質量)＝6.344×105
銀河の質量が6×1011太陽質量の場合、中心のブラックホールの質量は太陽質量の6.344×105倍です。
表に示す。
【表３】
2009005580.tif 000035
【請求項１１】
銀河系の中心の部に存在するリングの中心のブラックホールは太陽質量の何倍でできたか。
・3キロパーセク・アームの中心のブラックホールの質量は14.33太陽質量です。
このブラックホールを作った質量は、
14.33×9.458×105太陽質量＝1.355×107太陽質量、です。
・中心から2000光年のガス円盤の中心のブラックホールの質量は18.52太陽質量です。
このブラックホールを作った質量は、
18.52×9.458×105太陽質量＝1.752×107太陽質量、です。
・中心から1000光年の高密度のリングの中心のブラックホールの質量は0.29太陽質量です。
このブラックホールを作った質量は、
0.29×9.458×105太陽質量＝2.743×105太陽質量、です。
・中心から10光年のリングの中心のブラックホールの質量は0.00917太陽質量です。
このブラックホールを作った質量は、
0.00917×9.458×105太陽質量＝8.606×103太陽質量、です。
【請求項１２】
腕の中心のブラックホールは太陽質量の何倍でできたか。
・大きい腕の中心のブラックホールは、1.247×104太陽質量です。
このブラックホールを作った質量は、
1.247×104×9.458×105太陽質量＝1.179×1010太陽質量、です。
・中位の腕の中心のブラックホールは、5.252×103太陽質量です。
このブラックホールを作った質量は、
5.252×103×9.458×105太陽質量＝4.967×109太陽質量、です。
・小さい腕の中心のブラックホールは、1.55×103太陽質量です。
このブラックホールを作った質量は、
1.55×103×9.458×105太陽質量＝1.466×109太陽質量、です。
まとめて表に示す。
【表４】
2009005580.tif 000036
この事によって理解できること。
1．大きな腕ができるためには、銀河系の質量が必要である。
2．大きな質量のブラックホールを作るためには、大きな太陽質量が必要です。
3．しかし、銀河系の質量は、6×1011太陽質量であり、いつの時代においても普遍です。
４．それで、ブラックホールを作るために必要な質量は、質量ではなく質量エネルギーである。
5．銀河系の質量の大部分は中央部に存在するので、これは中央部の太陽質量エネルギーであるとみなす事ができる。
6．銀河系の中心部の、3キロパーセク・アームの中心のブラックホールや、中心から1000光年のリングのブラックホールは、銀河系の中心のブラックホールでできた。
銀河系の中心のブラックホールの質量は、106太陽質量で普遍です。
それなのに、6×107年前にできた3キロパーセク・アームの中心のブラックホールの質量は14.33太陽質量のブラックホールで、2.3×106年前にできた中心から1000光年のリングの中心のブラックホールの質量は、0.29太陽質量である。
この事は、銀河系の中心のブラックホールの質量エネルギーが変化している事を示す。
【請求項１３】
時代により場のエネルギーは変化する。この事は何によって証明できるか。
私は、2006年11月15日に提出した特願2007−336352の「請求項1」で、
電子のラブが1公転で作る電気の光子1個のエネルギーを求める式を、
1.233×10−41Ｊｍ÷軌道、
電子のラブが1自転して作る磁気の光子1個のエネルギーを求める式を、
1.549×10−49Ｊｍ÷公転軌道、と記した。
10−16ｍ時代の場のエネルギー。
10−16ｍ時代、電子のラブの公転軌道は10−16ｍです。
電子のラブが1公転で作る電気の光子1個のエネルギーは、
約10−41Ｊｍ÷10−16ｍ＝10−25Ｊです。
電子のラブが1公転で作る磁気の光子108個のエネルギーは、
約10−49Ｊｍ÷10−16ｍ×108＝10−25Ｊです。
10−16ｍ時代、この場には、このエネルギーの電気の光子と磁気の光子が存在します。
1電子のラブが1公転で作る、電気の光子のエネルギー×磁気の光子のエネルギー＝10−25Ｊ×10−25Ｊ＝10−50Ｊです。
10−15ｍ時代の場のエネルギー。
10−15ｍ時代、電子のラブの公転軌道は10−15ｍです。
電子のラブが1公転で作る電気の光子1個のエネルギーは、
約10−41Ｊｍ÷10−15ｍ＝10−26Ｊです。
電子のラブが1公転で作る磁気の光子108個のエネルギーは、
約10−49Ｊｍ÷10−15ｍ×108＝10−26Ｊです。
10−15ｍ時代、この場には、このエネルギーの電気の光子と磁気の光子が存在します。
1電子のラブが1公転で作る、電気の光子のエネルギー×磁気の光子のエネルギー＝10−26Ｊ×10−26Ｊ＝10−52Ｊです。
10−14ｍ時代の場のエネルギー。
10−14ｍ時代、電子のラブの公転軌道は10−14ｍです。
電子のラブが1公転で作る電気の光子1個のエネルギーは、
約10−41Ｊｍ÷10−14ｍ＝10−27Ｊです。
電子のラブが1公転で作る磁気の光子108個のエネルギーは、
約10−49Ｊｍ÷10−14ｍ×108＝10−27Ｊです。
10−14ｍ時代、この場には、このエネルギーの電気の光子と磁気の光子が存在します。
1電子のラブが1公転で作る、電気の光子のエネルギー×磁気の光子のエネルギー＝10−27Ｊ×10−27Ｊ＝10−54Ｊです。
それで、
10−16ｍ時代の場のエネルギー：10−15ｍ時代の場のエネルギー：10−14ｍ時代の場のエネルギー＝10−50Ｊ：10−52Ｊ：10−54Ｊ＝104：102：１
10−16ｍ時代のエネルギーは、10−14ｍ時代のエネルギーの104倍であり、10−15ｍ時代のエネルギーは、10−14ｍ時代のエネルギーの102倍である。
・この事は何によって証明できるか。
この事は、銀河の中心部のリングのブラックホールができた時、ブラックホールを作った質量エネルギーが異なる事によって、証明できる。
3キロパーセク・アームの中のブラックホールや、中心から1000光年の高密度のリングの中のブラックホールは10−14ｍ時代にできた。
このブラックホールを作った質量エネルギーは、
3キロパーセク・アームの中のブラックホールは、1.355×107太陽質量エネルギーでできた。
1000光年のリングの中心のブラックホールは、2.743×105太陽質量エネルギーでできた。
大きい腕の中のブラックホールや、中位の腕の中のブラックホールや、小さい腕の中のブラックホールは10−16ｍ時代にできた。
大きい腕の中のブラックホールは、1.179×1010太陽質量エネルギーでできた。
中位の腕の中のブラックホールは、4.967×109太陽質量エネルギーでできた。
小さい腕の中のブラックホールは、1.466×109太陽質量エネルギーでできた。
・10−16ｍ時代の質量エネルギーは、10−14ｍ時代の質量エネルギーの何倍であるか。
大きい腕の中心のブラックホールを作った質量エネルギー÷3キロパーセク・アームの中心のブラックホールを作った質量エネルギー＝1.179×1010太陽質量エネルギー÷(1.355×107太陽質量エネルギー)＝8.782×102(倍)
中位の腕の中心のブラックホールを作った質量エネルギー÷3キロパーセク・アームの中心のブラックホールを作った質量エネルギー＝4.967×109太陽質量エネルギー÷(1.355×107太陽質量エネルギー)＝3.666×102(倍)
小さい腕の中心のブラックホールを作った質量エネルギー÷3キロパーセク・アームの中心のブラックホールを作った質量エネルギー＝1.466×109太陽質量エネルギー÷(1.355×107太陽質量エネルギー)＝1.082×102(倍)
大きい腕の中心のブラックホールを作った質量エネルギー÷中心から1000光年の中心のブラックホールを作った質量エネルギー＝1.179×1010太陽質量エネルギー÷(2.743×105太陽質量エネルギー)＝4.298×104(倍)
中位の腕の中心のブラックホールを作った質量エネルギー÷中心から1000光年の中心のブラックホールを作った質量エネルギー＝4.967×109太陽質量エネルギー÷(2.743×105太陽質量エネルギー)＝1.81×104(倍)
小さい腕の中心のブラックホールを作った質量エネルギー÷中心から1000光年の中心のブラックホールを作った質量エネルギー＝1.466×109太陽質量エネルギー÷(2.743×105太陽質量エネルギー)＝5.344×103(倍)
このように、10−16ｍ時代の銀河系の質量エネルギーは、10−14ｍ時代の銀河系の質量エネルギーの約104倍です。
この事によって、3キロパーセク・アームができた時代は、10−15ｍの時代であると考えられる。
まとめて表に示す。
【表５】
2009005580.tif 000037
この事によって理解できる事
1．10−16ｍ時代の銀河のエネルギーは、10−14ｍ時代の銀河のエネルギーの約104倍である事が証明できる。
2．10−16ｍ時代の銀河のネルギーは、10−15ｍ時代の銀河のエネルギーの約102倍である事が証明できる。
3．これは、電子のラブや陽子のラブが作る電気の光子のエネルギー×磁気の光子のエネルギーの比です。
４．時代の場のエネルギーは光子のエネルギーです。
5．3キロパーセク・アームは10−15ｍ時代にできた。
【請求項１４】
クエーサーのどの部分が銀河のどの部分になったか。
クエーサーは、クエーサーの球体＋腕の軌道、でできている。
銀河は、中心核バルジ＋3キロパーセクの腕＋腕、でできている。
・クエーサーのどの部分が銀河のどの部分になったか。
ケーサーの球体は、銀河の中心核バルジに成った。中心核バルジは中心から6000光年です。
クエーサーの腕の軌道は、腕に成った。
これを表に示す。
【表６】
2009005580.tif 000038
【請求項１５】
銀河系の生成はどのようであったか。
私は、2008年7月4日に提出した特願2008−200203の「請求項13」で、
(クエーサーの円周は光速で10日間で1周する距離である時、
クエーサーの半径は4.127×1010Ｋｍ
このクエーサーが、現在、銀河系のバルジになっている。
・現在の銀河系は、10−16ｍ時代のクエーサーの何倍になっているか。
銀河系のバルジは半径1.5×104光年です。
バルジはクエーサーの何倍になったか。
バルジの半径÷クエーサーの半径＝1.5×104×9.46×1012Km÷(4.127×1010Km)＝3.438×106
バルジはクエーサーの3.438×106倍に成った。
現在の銀河系は、10−16ｍ時代のクエーサーの3.438×106倍になっている。)と記したが、これは誤りです。
私は、2008年7月4日に提出した特願2008−200203の「請求項14」で、
(10−16ｍ時代、銀河系の質量が集められ、その質量でできるジェットが届く距離は、ジェットが届いた最大半径であり、それは現在、ハローになっていると考える場合。
10−16ｍ時代、１ｍ3に9.970×1017個の原子が存在した。)と記した。
私は、2007年8月25日に提出した、特願2007−246139の「請求項27」で、
10−16ｍ時代の１ｍ3の原子数は1018個である。としたので、「請求項14」は正しい。
それで、再度、「請求項１４」を考慮し、銀河系の生成について考える。
・中心核バルジの質量は、銀河系の質量のどれくらいか。周囲の腕の質量はいくらくらいか。
1．地球の質量を1としますと、太陽の質量は3.32946×105です。
惑星の合計は、
水星＋金星＋地球＋火星＋木星＋土星＋天王星＋海王星＝0.055＋0.815＋1＋0.107＋317.83＋95.16＋14.54＋17.15＝446.657  です。
太陽の質量：惑星の全質量＝3.32946×105：446.657＝745.418：１
この割合で、中心核バルジの質量と腕の質量が存在するとしますと、
腕の質量は、
6×1011太陽質量÷745.418＝8.049×108太陽質量、です。
中心核バルジの質量は約6×1011太陽質量です。
2．また、私は、2008年7月4日に提出した、特願2008−200203の「請求項12」で、銀河系の腕の質量を次のように理解した。
【表７】
2009005580.tif 000039
腕の質量の合計は、
3.116×108太陽質量＋1.750×109太陽質量＋2.494×109太陽質量＝4.556×109太陽質量、です。
それで、中央核バルジの質量は、ほぼ銀河系全体の質量であるとみなす事ができる。
中心核バルジの質量は、6×1011太陽質量とみなす事ができる。
クエーサーの球体の質量は、6×1011太陽質量とみなす事ができる。
・10−16ｍ時代、1ｍ3の原子数は1018個です。この事から、ジェットが届いた半径を求め、これが現在、内側のハローの半径になっている。
この事から、銀河系の生成を考える。
・10−16ｍ時代、6×1011太陽質量の原子が存在する体積はいくらか。この半径はいくらか。
10−16ｍ時代、1ｍ3の原子数は1018個ですから、6×1011太陽質量の原子が存在する体積は、
6×1011×1.2×1057個÷1018個/m＝7.2×1050ｍ3
7.2×1050ｍ3＝7.2×1050−9Ｋｍ3＝7.2×1041Ｋｍ3
7.2×1041Ｋｍ3です。
この半径はいくらか。
4π÷3×ｒ3＝7.2×1041Ｋｍ3
ｒ3＝7.2×1041Ｋｍ3÷4π×3＝1.72×1041Ｋｍ3
ｒ＝1721/3×1013Ｋｍ＝5.57×1013Ｋｍ
10−16ｍ時代、6×1011太陽質量の原子が存在する体積は7.2×1041Ｋｍ3です。この半径は5.57×1013Ｋｍです。
ジェットが届いた最大半径は、5.57×1013Ｋｍで、この空間のダークマターはクエーサーの質量に成った。
・ジェットが届いた最大半径が5.57×1013Ｋｍであるとき、クエーサーの質量はいくらか。
クエーサーの質量を太陽質量のβ倍とする。
ジェットが届いた半径＝6.6×109Ｋｍ×β1/3=5.57 ×1013Ｋｍ
β1/3=5.57
×1013Ｋｍ÷(6.6×109Ｋｍ)＝8.439×103
β＝8.4393×109＝6×1011
ジェットが届いた最大半径が5.57×1013Ｋｍであるとき、クエーサーの質量は6×1011太陽質量です。
それで、ジェットが届いた半径＝6.6×109Ｋｍ×β1/3の式は、1ｍ3に原子が1018個存在する場合成立する。
10−16ｍ時代に成立する。
・ジェットが届いた最大半径は、現在、内側のハローになっている。現在の宇宙は、10−16ｍ時代の宇宙の何倍に拡大したか。10−16ｍ時代の宇宙は、現在の宇宙の何倍であったか。
・現在の宇宙は、10−16ｍ時代の宇宙の何倍に拡大したか。
10−16ｍ時代、ジェットが届いた最大半径が5.57×1013Ｋｍで、これが、現在、内側のハローで、半径7.5×104光年になっているから、
7.5×104×9.46×1012Ｋｍ÷(5.57×1013Ｋｍ)＝1.274×104倍に拡大した。
現在の宇宙は、10−16ｍ時代の宇宙の1.274×104倍に拡大した。
・10−16ｍ時代の宇宙は、現在の宇宙の何倍であったか。
5.57×1013Ｋｍ÷(7.5×104×9.46×1012Ｋｍ)＝7.851×10−5倍
10−16ｍ時代の宇宙は、現在の宇宙の7.851×10−5倍であった。
・10−16ｍ時代、大きい腕の軌道の半径はいくらか。
現在、大きい腕の半径は、4×104光年であるとすると、
4×104×9.46×1012Ｋｍ×7.851×10−5＝2.971×1013Ｋｍです。
10−16ｍ時代、大きい腕の軌道の半径は、2.971×1013Ｋｍです。
・10−16ｍ時代、中位の腕の軌道の半径はいくらか。
現在、中位の腕の半径は、3×104光年であるとすると、
3×104×9.46×1012Ｋｍ×7.851×10−5＝2.228×1013Ｋｍです。
10−16ｍ時代、中位の腕の軌道の半径は、2.228×1013Ｋｍです。
・10−16ｍ時代、小さい腕の軌道の半径はいくらか。
現在、小さい腕の半径は、2×104光年であるとすると、
2×104×9.46×1012Ｋｍ×7.851×10−5＝1.485×1013Ｋｍです。
10−16ｍ時代、小さい腕の軌道の半径は、1.485×1013Ｋｍです。
・10−16ｍの時代、クエーサーの球体の半径はいくらか。
10−16ｍの時代、クエーサーの球体は、現在、半径6000光年の中心核バルジに成った。
それで、クエーサーの球体の半径は、
6000×9.46×1012Ｋｍ×7.851×10−5＝4.456×1012Ｋｍです。
10−16ｍの時代、クエーサーの球体の半径は、4.456×1012Ｋｍです。
・10−16ｍの時代、クエーサーの球体の速度はいくらか。
クエーサーの球体の半径は、4.456×1012Ｋｍです。
公転速度2＝5.4×1018＋2n/3J/Km÷半径＝5.4×1018＋2×6/3J/Km÷(4.456×1012Ｋｍ)＝5.4×1022÷(4.456×1012)＝1.211×1010
公転速度＝(1.211×1010)1/2=1.1×105Ｋｍ
10−16ｍの時代、クエーサーの球体の公転速度は、秒速1.1×105Ｋｍです。
この事を表に示す。
【表８】
2009005580.tif 000040
【請求項１６】
10−16ｍ時代の腕の球体の軌道がどのように腕のリングに成ったか。
10−16ｍ時代、
大きな腕の軌道の半径は、2.971×1013Ｋｍ。
中位の腕の軌道の半径は、2.228×1013Ｋｍ。
小さい腕の軌道の半径は、1.485×1013Ｋｍ。
現在。
大きな腕の半径は4×104光年とする。
中位の腕の半径は3×104光年とする。
小さい腕の半径は2×104光年とする。
10−16ｍ時代の腕の軌道が現在の腕に成るとき、
a.腕の軌道はリングになったと仮定する。
b.Rはリングの大きな半径で、銀河系の中心からの半径とする。
c.rはリングの小さな半径で、螺旋回転する半径とする。
△大きい腕はどのようにできたか。
1．大きい腕の軌道の体積が、大きい腕のリングの体積になる場合。
大きい腕のリングのＲとｒはいくらになるか。
大きい腕のＲ：ｒ＝4×104光年：2500光年＝16：1
リングの断面積＝πｒ2
リングの円周＝2πＲ
大きい腕のリングの体積＝リングの断面積×リングの円周＝πｒ2×2πＲ＝2π2ｒ2Ｒ＝2π2ｒ2×16ｒ＝32π2ｒ3
大きい腕の軌道の体積＝大きい腕の軌道までの体積−中位の腕の軌道までの体積＝4/3×π×(2.971×1013Ｋｍ)3−4/3×π×(2.228×1013Ｋｍ)3＝4/3×π×(26.225−11.06)1039Ｋｍ3＝4/3×π×15.165×1039Ｋｍ3＝63.49×1039Ｋｍ3
大きい腕のリングの体積＝大きい腕の軌道の体積
32π2ｒ3＝63.49×1039Ｋｍ3
ｒ3＝63.49×1039Ｋｍ3÷32π2＝63.49×1039Ｋｍ3÷(32×9.86)＝0.2×1039Ｋｍ3
ｒ＝0.21/3×1013Ｋｍ＝0.59×1013Ｋｍ＝5.9×1012Ｋｍ
Ｒ＝16ｒ＝16×0.59×1013Ｋｍ＝9.44×1013Ｋｍ
大きい腕の軌道は、半径2.971×1013Ｋｍから、大きい腕のリングに成りました。
大きい腕の軌道の体積が、大きい腕のリングの体積になる場合。
大きい腕のリングのＲは9.44×1013Ｋｍになり、ｒは5.9×1012Ｋｍになる。
2．大きい腕の軌道の半径が10倍に成った時の体積が、大きい腕のリングの体積に成る場合。大きい腕のリングのＲとｒはいくらになるか。
半径が10倍になったとき体積は1000倍になります。
大きい腕の軌道の体積＝63.49×1039Ｋｍ3×1000＝63.49×1042Ｋｍ3
大きい腕のリングの体積＝大きい腕の軌道の体積
32π2ｒ3＝63.49×1042Ｋｍ3
ｒ3＝63.49×1042Ｋｍ3÷32π2＝63.49×1042Ｋｍ3÷(32×9.86)＝0.2×1042Ｋｍ3
ｒ＝0.59×1014Ｋｍ
Ｒ＝9.44×1014Ｋｍ
大きい腕の軌道の半径が10倍に成った時の体積が、大きい腕のリングの体積に成る場合。大きい腕のリングのＲとｒは10倍に成り、Ｒは9.44×1014Ｋｍになり、ｒは0.59×1014Ｋｍになる。
△中位の腕はどのようにできたか。
1．中位の腕の軌道の体積が、中位の腕のリングの体積になる場合。
中位の腕のリングのＲとｒはいくらになるか。
中位の腕のＲ：ｒ＝3×104光年：2500光年＝12：1
リングの断面積＝πｒ2
リングの円周＝2πＲ
中位の腕のリングの体積＝リングの断面積×リングの円周＝πｒ2×2πＲ＝2π2ｒ2Ｒ＝2π2ｒ2×12ｒ＝24π2ｒ3
中位の腕の軌道の体積＝中位の腕の軌道までの体積−小さい腕の軌道までの体積＝4/3×π×(2.228×1013Ｋｍ)3−4/3×π×(1.485×1013Ｋｍ)3＝4/3×π(11.06−3.275)1039Ｋｍ3＝4/3×π×7.785×1039Ｋｍ3=32.593×1039Ｋｍ3
中位の腕のリングの体積＝中位の腕の軌道の体積
24π2ｒ3＝32.593×1039Ｋｍ3
ｒ3＝32.593×1039Ｋｍ3÷24π2＝32.593×1039Ｋｍ3÷(24×9.86)＝0.1377×1039Ｋｍ3
ｒ＝0.13771/3×1013Ｋｍ3＝0.516×1013Ｋｍ＝5.16×1012Ｋｍ
Ｒ＝12ｒ＝12×0.516×1013Ｋｍ＝6.192×1013Ｋｍ
中位の腕の軌道は、半径2.228×1013Ｋｍから、中位の腕のリングに成りました。
中位の腕の軌道の体積が、中位の腕のリングの体積になる場合。
中位の腕のリングのＲは6.192×1013Ｋｍになり、ｒは0.516×1013Ｋｍになる。
2．中位の腕の軌道の半径が10倍に成った時の体積が、中位の腕のリングの体積に成る場合。中位の腕のリングのＲとｒはいくらになるか。
半径が10倍になったとき体積は1000倍になります。
中位の腕の軌道の体積＝32.593×1039Ｋｍ3×1000＝32.593×1042Ｋｍ3
中位の腕のリングの体積＝中位の腕の軌道の体積
24π2ｒ3＝32.593×1042Ｋｍ3
ｒ3＝32.593×1042Ｋｍ3÷24π2＝32.593×1042Ｋｍ3÷(24×9.86)＝0.1377×1042Ｋｍ3
ｒ＝0.516×1014Ｋｍ
Ｒ＝6.192×1014Ｋｍ
中位の腕の軌道の半径が10倍に成った時の体積が、中位の腕のリングの体積に成る場合。中位の腕のリングのＲとｒは10倍に成り、Ｒは6.192×1014Ｋｍになり、ｒは5.16×1013Ｋｍになる。
△小さい腕はどのようにできたか。
1．小さい腕の軌道の体積が、小さい腕のリングの体積になる場合。
小さい腕のリングのＲとｒはいくらになるか。
小さい腕のＲ：ｒ＝2×104光年：2500光年＝8：1
リングの断面積＝πｒ2
リングの円周＝2πＲ
小さい腕のリングの体積＝リングの断面積×リングの円周＝πｒ2×2πＲ＝2π2ｒ2Ｒ＝2π2ｒ2×8ｒ＝16π2ｒ3
現在、小さい腕は、半径1.5×104光年から半径2×104光年とします。
これは、10−16ｍ時代、
2×104×9.46×1012Ｋｍ×7.851×10−5＝1.485×1013Ｋｍ
1.5×104×9.46×1012Ｋｍ×7.851×10−5＝1.114×1013Ｋｍです。
小さい腕の軌道の体積＝半径1.485×1013Ｋｍまでの体積−半径1.114×1013Ｋｍまでの体積＝4/3×π×(1.485×1013Ｋｍ)3−4/3×π×(1.114×1013Ｋｍ)3＝4/3×π(3.275−1.382)1039Ｋｍ3＝4/3×π×1.893×1039Ｋｍ3＝7.925×1039Ｋｍ3
小さい腕のリングの体積＝小さい腕の軌道の体積
16π2ｒ3＝7.925×1039Ｋｍ3
ｒ3＝7.925×1039Ｋｍ3÷16π2＝7.925×1039Ｋｍ3÷(16×9.86)＝50.2×1036Ｋｍ3
ｒ＝50.21/3×1012Ｋｍ3＝3.69×1012Ｋｍ
Ｒ＝8ｒ＝8×3.69×1012Ｋｍ＝2.952×1013Ｋｍ
小さい腕の軌道は、半径1.485×1013Ｋｍから、小さい腕のリングに成りました。
小さい腕の軌道の体積が、小さい腕のリングの体積になる場合。小さい腕のリングのＲは2.952×1013Ｋｍになり、ｒは3.69×1012Ｋｍになる。
2．小さいの腕の軌道の半径が10倍に成った時の体積が、小さい腕のリングの体積に成る場合。小さい腕のリングのＲとｒはいくらになるか。
半径が10倍になったとき体積は1000倍になります。
小さい腕の軌道の体積＝7.925×1039Ｋｍ3×1000＝7.925×1042Ｋｍ3
小さい腕のリングの体積＝小さい腕の軌道の体積
16π2ｒ3＝7.925×1042Ｋｍ3
ｒ3＝7.925×1042Ｋｍ3÷16π2＝7.925×1042Ｋｍ3÷(16×9.86)＝50.2×1039Ｋｍ3
ｒ＝3.69×1013Ｋｍ
Ｒ＝2.952×1014Ｋｍ
小さい腕の軌道の半径が10倍に成った時の体積が、小さい腕のリングの体積に成る場合。小さい腕のリングのＲとｒは10倍に成り、Ｒは2.952×1014Ｋｍになり、ｒは3.69×1013Ｋｍになる。
この事をまとめ表に示す。
【表９】
2009005580.tif 000041
【請求項１７】
腕の中心に太陽質量の何倍のブラックホールが存在するか。これを求める式はどのようであるか。
私は、2008年1月4日に提出した2008−23309の「請求項25」で、この問題を解くため、
ブラックホールの表面の原子数。
ブラックホールの半径に存在する原子数。
ブラックホールに存在する原子数。
ブラックホールの質量は太陽の原子数の何倍か。
この過程から導き出した。
今回は、1つの式で、腕の中心に太陽質量の何倍のブラックホールが存在するか、を求める。螺旋回転する軌道の中心にはブラックホールが存在する。
このブラックホールの質量を10n太陽質量とするとき、
螺旋回転速度2＝5.4×1018＋2n/3J・Km÷半径×79.7です。
この式から10nを求める。
102n/3=螺旋回転速度2÷5.4×10−18×半径÷79.7、です。
腕の中心に太陽質量の何倍のブラックホールが存在するか。これを求める式は、
102n/3=螺旋回転速度2÷5.4×10−18×半径÷79.7、です。
このことについては、2008年3月29日に提出した、特願2008−113159の「請求項９」のＢに記した。
【請求項１８】
銀河系の中心のブラックホールの質量は変化するのか変化しないのか。
質量は変化しない。しかし、エネルギーは変化する。
私は、2007年8月25日に提出した、特願2007−246139の「請求項16」に記した、クエーサーの中央部の過去と未来。は間違いです。
電子のラブの質量はいかなる場においても変わらない。陽子のラブの質量はいかなる場においても変わらない。なぜなら、電子のラブと陽子のラブの質量は、ビッグバンの時のエネルギーでできた物で、このエネルギーより大きいエネルギーでなければ、質量を変える事はできない。これが「質量普遍の法則」の理由です。
質量は同じで、エネルギーが変化します。電子のラブと陽子のラブのエネルギーはその回転軌道に現れています。
私は、2008年1月4日に提出した、特願2008−23309の「請求項28」で、
現在、銀河系の中心のブラックホールの質量は太陽質量の数百万倍です。
それで、10−16ｍ時代(電子のラブの公転軌道が10−16ｍの時で、宇宙年齢は1億歳です。)のクエーサーの中心のブラックホールの質量は、太陽質量の106＋2倍でした。と記した。
これは間違いです。
訂正し、「請求項24」に記す。
そして、大きな軌道の速度と、中位の軌道の速度と、小さい軌道の速度、を
5.438×1018×10(2×8)÷3Ｊ・Km÷半径、の式で算出しましたが、これは公転の式なので、誤りです。
【請求項１９】
10−16ｍ時代の腕の軌道の体積がそのまま変わらずに、腕のリングになった場合の螺旋回転速度と公転速度はいくらか。10−16ｍ時代の腕の軌道が10倍(体積が1000倍)になり、腕のリングになった場合の螺旋回転速度と公転速度はいくらか。
△大きい腕のリングの場合。
大きい腕の中心のブラックホールの質量は、1.247×104太陽質量です。
これは、1.247×104＝100.0958×104＝104.0958、です。
体積がそのままリングになったとき、ｒは5.9×1012Ｋｍです。
螺旋回転速度2＝5.4×1018＋2n/3J・Ｋｍ÷半径×79.7=5.4×1018×102×4.0958÷3 J・Ｋｍ÷(5.9×1012Ｋｍ)×79.7＝7.295×107×102.7305Ｊ＝7.295×107＋2×100.7305Ｊ＝7.295×109×5.376Ｊ＝3.922×1010Ｋｍ
螺旋回転速度＝(3.922×1010Ｋｍ)1/2=1.980×105Ｋｍ
公転速度＝螺旋回転速度×0.112＝1.980×105Ｋｍ×0.112＝2.218×104Ｋｍ
体積が1000倍になり、リングになったとき、ｒは5.9×1013Ｋｍです。
螺旋回転速度2＝5.4×1018×102×4.0958÷3 J・Ｋｍ÷(5.9×1013Ｋｍ)×79.7＝3.922×109Ｋｍ
螺旋回転速度＝(3.922×109Ｋｍ)1/2=6.263×104Km
公転速度＝6.263×104Ｋｍ×0.112＝7.014×103Ｋｍ
よって、
体積がそのままリングになったとき、螺旋回転速度は秒速1.980×105Ｋｍで、公転速度は秒速2.218×104Ｋｍです。
体積が1000倍になり、リングになったとき、螺旋回転速度は秒速6.263×104Ｋｍで、公転速度は秒速7.014×103Ｋｍです。
△中位の腕の場合。
中位の腕の中心のブラックホールの質量は、5.252×103太陽質量です。
これは、5.252×103＝100.7204×103＝103.7204、です。
体積がそのままリングになったとき、ｒは5.16×1012Ｋｍです。
螺旋回転速度2＝5.4×1018＋2n/3J・Ｋｍ÷半径×79.7=5.4×1018×102×3.7204÷3 J・Ｋｍ÷(5.16×1012Ｋｍ)×79.7＝8.341×107×102.4803Ｊ＝8.341×107＋2×100.4803Ｊ＝8.341×109×3.022Ｊ＝2.521×1010Ｋｍ
螺旋回転速度＝(2.521×1010Ｋｍ)1/2=1.588×105Ｋｍ
公転速度＝螺旋回転速度×0.112＝1.588×105Ｋｍ×0.112＝1.778×104Ｋｍ
体積が1000倍になり、リングになったとき、ｒは5.16×1013Ｋｍです。
螺旋回転速度2＝5.4×1018×102×3.7204÷3 J・Ｋｍ÷(5.16×1013Ｋｍ)×79.7＝2.521×109Ｋｍ
螺旋回転速度＝(2.521×109Ｋｍ)1/2=5.021×104Km
公転速度＝5.021×104Ｋｍ×0.112＝5.623×103Ｋｍ
よって、
体積がそのままリングになったとき、螺旋回転速度は秒速1.588×105Ｋｍで、公転速度は秒速1.778×104Ｋｍです。
体積が1000倍になり、リングになったとき、螺旋回転速度は秒速5.021×104Ｋｍで、公転速度は秒速5.623×103Ｋｍです。
△小さい腕の場合。
小さい腕の中心のブラックホールの質量は、1.558×103太陽質量です。
これは、1.558×103＝100.1925×103＝103.1925、です。
体積がそのままリングになったとき、ｒは3.69×1012Ｋｍです。
螺旋回転速度2＝5.4×1018＋2n/3J・Ｋｍ÷半径×79.7=5.4×1018×102×3.1925÷3 J・Ｋｍ÷(3.69×1012Ｋｍ)×79.7＝1.463×107×102.1283Ｊ＝1.463×107＋2×100.1283Ｊ＝1.463×109×1.344Ｊ＝1.966×109Ｋｍ
螺旋回転速度＝(1.966×109Ｋｍ)1/2=4.434×104Ｋｍ
公転速度＝螺旋回転速度×0.112＝4.434×104Ｋｍ×0.112＝4.966×103Ｋｍ
体積が1000倍になり、リングになったとき、ｒは3.69×1013Ｋｍです。
螺旋回転速度2＝5.4×1018×102×3.1925÷3 J・Ｋｍ÷(3.69×1013Ｋｍ)×79.7＝1.966×108Ｋｍ
螺旋回転速度＝(1.966×108Ｋｍ)1/2=1.402×104Km
公転速度＝1.402×104Ｋｍ×0.112＝1.570×103Ｋｍ
よって、
体積がそのままリングになったとき、螺旋回転速度は秒速4.434×104Ｋｍで、公転速度は秒速4.966×103Ｋｍです。
体積が1000倍になり、リングになったとき、螺旋回転速度は秒速1.402×104Ｋｍで、公転速度は秒速1.57×103Ｋｍです。
まとめて表に示す。
【表１０】
2009005580.tif 000042
【請求項２０】
螺旋回転速度2と半径の式はどのようであるか。腕の螺旋回転速度が光速より小さいとき、腕の半径はいくらか。
△大きい腕の場合。
・螺旋回転速度2と半径の式はどのようであるか。
大きい腕の中心のブラックホールの質量は、1.247×104太陽質量です。
これは、1.247×104＝100.0958×104＝104.0958、です。
螺旋回転速度2＝5.4×1018＋2n/3J・Ｋｍ÷半径×79.7=5.4×1018×102×4.0958÷3 J・Ｋｍ÷半径×79.7＝5.4×1018×102.7305
J・Ｋｍ÷半径×79.7＝4.304×1020＋2×100.7305Ｊ・Ｋｍ÷半径＝4.304×1022×5.376Ｊ・Ｋｍ÷半径＝2.314×1023Ｊ・Ｋｍ÷半径
螺旋回転速度2と半径の式は、螺旋回転速度2＝2.314×1023Ｊ・Ｋｍ÷半径、です。
・腕の螺旋回転速度が光速より小さいとき、腕の半径はいくらか。
螺旋回転速度2＝(3×105Ｋｍ)2＝2.314×1023Ｊ・Ｋｍ÷半径
半径＝2.314×1023Ｊ・Ｋｍ÷(3×105Ｋｍ)2＝2.571×1012Ｋｍ
半径が2.571×1012Ｋｍ以上のとき、螺旋回転速度は光速以下になる。
△中位の腕の場合。
・螺旋回転速度2と半径の式はどのようであるか。
中位の腕の中心のブラックホールの質量は、5.252×103太陽質量です。
これは、5.252×103＝100.7204×103＝103.7204、です。
螺旋回転速度2＝5.4×1018＋2n/3J・Ｋｍ÷半径×79.7=5.4×1018×102×3.7204÷3 J・Ｋｍ÷半径×79.7＝5.4×1018×102.4803J・Ｋｍ÷半径×79.7＝4.304×1020＋2×100.4803Ｊ・Ｋｍ÷半径＝4.304×1022×3.022Ｊ・Ｋｍ÷半径＝1.301×1023Ｊ・Ｋｍ÷半径
螺旋回転速度2と半径の式は、螺旋回転速度2＝1.301×1023Ｊ・Ｋｍ÷半径、です。
・腕の螺旋回転速度が光速より小さいとき、腕の半径はいくらか。
螺旋回転速度2＝(3×105Ｋｍ)2＝1.301×1023Ｊ・Ｋｍ÷半径
半径＝1.301×1023Ｊ・Ｋｍ÷(3×105Ｋｍ)2＝1.446×1012Ｋｍ
半径が1.446×1012Ｋｍ以上のとき、螺旋回転速度は光速以下になる。
△小さい腕の場合。
・螺旋回転速度2と半径の式はどのようであるか。
小さい腕の中心のブラックホールの質量は、1.558×103太陽質量です。
これは、1.558×103＝100.1925×103＝103.1925、です。
5.4×1018＋2n/3J・Ｋｍ÷半径×79.7=5.4×1018×102×3.1925÷3 J・Ｋｍ÷半径×79.7＝5.4×1018×102.1283J・Ｋｍ÷半径×79.7＝4.304×1020＋2×100.1283Ｊ・Ｋｍ÷半径＝4.304×1022×1.344Ｊ・Ｋｍ÷半径＝5.785×1022Ｊ・Ｋｍ÷半径
螺旋回転速度2と半径の式は、螺旋回転速度2＝5.785×1022Ｊ・Ｋｍ÷半径
・腕の螺旋回転速度が光速より小さいとき、腕の半径はいくらか。
螺旋回転速度2＝(3×105Ｋｍ)2＝5.785×1022Ｊ・Ｋｍ÷半径
半径＝5.785×1022Ｊ・Ｋｍ÷(3×105Ｋｍ)2＝6.427×1011Ｋｍ
半径が6.427×1011Ｋｍ以上のとき、螺旋回転速度は光速以下になる。
このことを表に示す。
【表１１】
2009005580.tif 000043
【請求項２１】
腕の半径と螺旋回転の速度と公転速度を求める。
△大きい腕の場合。
螺旋回転速度2＝2.314×1023Ｊ・Ｋｍ÷半径、の式により、半径が1012Ｋｍと、1013Ｋｍと、1014Ｋｍと、1015Ｋｍと、1016Ｋｍの場合の螺旋速度を計算する。
半径が1012Ｋｍの場合。
螺旋回転速度2＝2.314×1023Ｊ・Ｋｍ÷1012Ｋｍ＝2.314×1011Ｊ
螺旋回転速度＝(2.314×1011)1/2Ｋｍ=4.810×105Ｋｍ
公転速度＝4.810×105Ｋｍ×0.112＝5.388×104Ｋｍ
半径が1013Ｋｍの場合。
螺旋回転速度2＝2.314×1023Ｊ・Ｋｍ÷1013Ｋｍ＝2.314×1010Ｊ
螺旋回転速度＝(2.314×1010)1/2Ｋｍ=1.521×105Ｋｍ
公転速度＝1.521×105Ｋｍ×0.112＝1.704×104Ｋｍ
半径が1014Ｋｍの場合。
螺旋回転速度2＝2.314×1023Ｊ・Ｋｍ÷1014Ｋｍ＝2.314×109Ｊ
螺旋回転速度＝(2.314×109)1/2Ｋｍ=4.810×104Ｋｍ
公転速度＝4.810×104Ｋｍ×0.112＝5.388×103Ｋｍ
半径が1015Ｋｍの場合。
螺旋回転速度2＝2.314×1023Ｊ・Ｋｍ÷1015Ｋｍ＝2.314×108Ｊ
螺旋回転速度＝(2.314×108)1/2Ｋｍ=1.521×104Ｋｍ
公転速度＝1.521×104Ｋｍ×0.112＝1.704×103Ｋｍ
半径が1016Ｋｍの場合。
螺旋回転速度2＝2.314×1023Ｊ・Ｋｍ÷1016Ｋｍ＝2.314×107Ｊ
螺旋回転速度＝(2.314×107)1/2Ｋｍ=4.810×103Ｋｍ
公転速度＝4.810×103Ｋｍ×0.112＝5.388×102Ｋｍ
△中位の腕の場合。
螺旋回転速度2＝1.301×1023Ｊ・Ｋｍ÷半径、の式により、半径が1012Ｋｍと、1013Ｋｍと、1014Ｋｍと、1015Ｋｍと、1016Ｋｍの場合の螺旋速度を計算する。
半径が1012Ｋｍの場合。
螺旋回転速度2＝1.301×1023Ｊ・Ｋｍ÷1012Ｋｍ＝1.301×1011Ｊ
螺旋回転速度＝(1.301×1011Km)1/2=3.607×105Ｋｍ
公転速度＝3.607×105Ｋｍ×0.112＝4.040×104Ｋｍ
半径が1013Ｋｍの場合。
螺旋回転速度2＝1.301×1023Ｊ・Ｋｍ÷1013Ｋｍ＝1.301×1010Ｊ
螺旋回転速度＝(1.301×1010Km)1/2=1.140×105Ｋｍ
公転速度＝1.140×105Ｋｍ×0.112＝1.277×104Ｋｍ
半径が1014Ｋｍの場合。
螺旋回転速度2＝1.301×1023Ｊ・Ｋｍ÷1014Ｋｍ＝1.301×109Ｊ
螺旋回転速度＝(1.301×109Km)1/2=3.607×104Ｋｍ
公転速度＝3.607×104Ｋｍ×0.112＝4.040×103Ｋｍ
半径が1015Ｋｍの場合。
螺旋回転速度2＝1.301×1023Ｊ・Ｋｍ÷1015Ｋｍ＝1.301×108Ｊ
螺旋回転速度＝(1.301×108Km)1/2=1.140×104Ｋｍ
公転速度＝1.140×104Ｋｍ×0.112＝1.277×103Ｋｍ
半径が1016Ｋｍの場合。
螺旋回転速度2＝1.301×1023Ｊ・Ｋｍ÷1016Ｋｍ＝1.301×107Ｊ
螺旋回転速度＝(1.301×107Km)1/2=3.607×103Ｋｍ
公転速度＝3.607×103Ｋｍ×0.112＝4.040×102Ｋｍ
△小さい腕の場合。
螺旋回転速度2＝5.785×1022Ｊ・Ｋｍ÷半径、の式により、半径が1012Ｋｍと、1013Ｋｍと、1014Ｋｍと、1015Ｋｍと、1016Ｋｍの場合の螺旋速度を計算する。
半径が1012Ｋｍの場合。
螺旋回転速度2＝5.785×1022Ｊ・Ｋｍ÷1012Ｋｍ＝5.875×1010Ｊ
螺旋回転速度＝(5.785×1010Km)1/2=2.405×105Ｋｍ
公転速度＝2.405×105Ｋｍ×0.112＝2.694×104Ｋｍ
半径が1013Ｋｍの場合。
螺旋回転速度2＝5.785×1022Ｊ・Ｋｍ÷1013Ｋｍ＝5.875×109Ｊ
螺旋回転速度＝(5.785×109Km)1/2=7.606×104Ｋｍ
公転速度＝7.606×104Ｋｍ×0.112＝8.519×103Ｋｍ
半径が1014Ｋｍの場合。
螺旋回転速度2＝5.785×1022Ｊ・Ｋｍ÷1014Ｋｍ＝5.875×108Ｊ
螺旋回転速度＝(5.785×108Km)1/2=2.405×104Ｋｍ
公転速度＝2.405×104Ｋｍ×0.112＝2.694×103Ｋｍ
半径が1015Ｋｍの場合。
螺旋回転速度2＝5.785×1022Ｊ・Ｋｍ÷1015Ｋｍ＝5.875×107Ｊ
螺旋回転速度＝(5.785×107Km)1/2=7.606×103Ｋｍ
公転速度＝7.606×103Ｋｍ×0.112＝8.519×102Ｋｍ
半径が1016Ｋｍの場合。
螺旋回転速度2＝5.785×1022Ｊ・Ｋｍ÷1016Ｋｍ＝5.875×106Ｊ
螺旋回転速度＝(5.785×106Km)1/2=2.405×103Ｋｍ
公転速度＝2.405×103Ｋｍ×0.112＝2.694×102Ｋｍ
まとめて表に示す。
【表１２】
2009005580.tif 000044
【請求項２２】
腕は、腕の球体の軌道が腕のリングに成り、腕のリングがクエーサーのブラックホールの引力に引かれてできた。クエーサーの引力と、大きい腕のリングの中心のブラックホールの引力、中位の腕のリングの中心のブラックホールの引力、小さい腕のリングの中心のブラックホールの引力はいくらか。
私は、2008年1月4日に提出した、特願2008−23309の「請求項29」において、クエーサーの引力や、大きな腕になった大きな軌道の引力や、中位の腕になった中位の軌道の引力や、小さい腕になった小さい軌道の引力を求めた。クエーサーと大きな軌道の間の引力と、クエーサーと中位の軌道の間の引力と、ククエーサーと小さい軌道の間の引力を求めた。
この方法に従って求める。
今回はブラックホールの質量は変わらないとする。
・クエーサーの引力はいくらか。
引力は、中心のブラックホールから出発する磁気の光子のエネルギーです。
クエーサーのブラックホールの質量は、太陽質量の106倍ですから、
クエーサーの引力＝ブラックホールから出発する磁気の光子のエネルギー＝1束の磁気の光子のエネルギー×ブラックホールの表面の原子数＝10−25Ｊ×5.438×1038＋2×6/3個＝5.438×1017Ｊ
クエーサーの引力は、5.438×1017Ｊです。
・大きい腕のリングの中心のブラックホールの引力はいくらか。
大きい腕のリングの中心のブラックホールの質量は1.247×104太陽質量ですから、
1.247×104＝104.0958。
大きい腕のリングの中心のブラックホールの引力＝ブラックホールから出発する磁気の光子のエネルギー＝1束の磁気の光子のエネルギー×ブラックホールの表面の原子数＝10−25Ｊ×5.438×1038＋2×4.0958/3個=5.438×1013Ｊ×102.7305＝5.438×1015Ｊ×100.7305＝5.438×1015×5.376＝2.923×1016Ｊ
大きい腕のリングの中心のブラックホールの引力は、2.923×1016Ｊです。
・中位の腕のリングの中心のブラックホールの引力はいくらか。
中位の腕のリングの中心のブラックホールの質量は、5.252×103太陽質量ですから、5.252×103＝103.7204。
中位の腕のリングの中心のブラックホールの引力＝ブラックホールから出発する磁気の光子のエネルギー＝1束の磁気の光子のエネルギー×ブラックホールの表面の原子数＝10−25Ｊ×5.438×1038＋2×3.7204/3個=5.438×1013Ｊ×102.4803＝5.438×1015Ｊ×100.4803＝5.438×1015×3.022＝1.643×1016Ｊ
中位の腕のリングの中心のブラックホールの引力は、1.643×1016Ｊです。
・小さい腕のリングの中心のブラックホールの引力はいくらか。
小さい腕のリングの中心のブラックホールの質量は、1.558×103太陽質量ですから、1.558×103＝103.1925。
小さい腕のリングの中心のブラックホールの引力＝ブラックホールから出発する磁気の光子のエネルギー＝1束の磁気の光子のエネルギー×ブラックホールの表面の原子数＝10−25Ｊ×5.438×1038＋2×3.1925/3個=5.438×1013Ｊ×102.1283＝5.438×1015Ｊ×100.1283＝5.438×1015×1.344＝7.309×1015Ｊ
小さい腕のリングの中心のブラックホールの引力は、7.309×1015Ｊです。
【請求項２３】
クエーサーのブラックホールと大きい腕のリングのブラックホールの間の引力はいくらか。クエーサーのブラックホールと中位の腕のリングのブラックホールの間の引力はいくらか。クエーサーのブラックホールと小さい腕のリングのブラックホールの間の引力はいくらか。
・クエーサーのブラックホールと大きい腕のリングのブラックホールの間の引力はいくらか。
クエーサーのブラックホールと大きい腕のリングの間の距離は、Ｒ＝9.44×1016ｍです。
引力＝クエーサーのブラックホールの引力×大きい腕のリングのブラックホールの引力÷クエーサーのブラックホールと大きい腕のリングの間の距離2＝5.438×1017Ｊ×2.923×1016Ｊ÷(9.44×1016ｍ)2＝1.590×1034Ｊ÷(8.911×1033ｍ)＝1.784Ｎ
クエーサーのブラックホールと大きい腕のリングのブラックホールの間の引力は、1.784Ｎです。
・クエーサーのブラックホールと中位の腕のリングのブラックホールの間の引力はいくらか。
クエーサーのブラックホールと中位の腕のリングの間の距離は、Ｒ＝6.19×1016ｍです。
引力＝クエーサーのブラックホールの引力×中位の腕のリングのブラックホールの引力÷クエーサーのブラックホールと中位の腕のリングの間の距離2＝5.438×1017Ｊ×1.643×1016Ｊ÷(6.19×1016ｍ)2＝8.935×1033Ｊ÷(3.832×1033ｍ)＝2.332Ｎ
クエーサーのブラックホールと中位の腕のリングのブラックホールの間の引力は、2.332Ｎです。
・クエーサーのブラックホールと小さい腕のリングのブラックホールの間の引力はいくらか。
クエーサーのブラックホールと小さい腕のリングの間の距離は、Ｒ＝2.95×1016ｍです。
引力＝クエーサーのブラックホールの引力×小さい腕のリングのブラックホールの引力÷クエーサーのブラックホールと小さい腕のリングの間の距離2＝5.438×1017Ｊ×7.309×1016Ｊ÷(2.95×1016ｍ)2＝3.975×1033Ｊ÷(8.7025×1032ｍ)＝4.568Ｎ
クエーサーのブラックホールと小さい腕のリングのブラックホールの間の引力は、4.568Ｎです。
まとめて表に示す。
【表１３】
2009005580.tif 000045
Ｒは腕の球体の軌道の体積が変わらず、そのまま腕のリングになった場合です。
体積が1000倍になり、リングになった場合のＲは、10Ｒですから、引力は、
÷Ｒ2で、10−2倍になります。
それで、Ｒが小さいほど引力は大きいので、リングの大きさが小さい時、リングはクエーサーの中心のブラックホールに引かれて、腕に成った、と考えます。
リングの中心のブラックホールの質量の大きい部分がクエーサーの中心のブラックホールに引かれた。
【請求項２４】
私は、2007年8月25日に提出した、特願2007−246139の「請求項16」に記した、クエーサーの中央部の過去と未来、は間違いです。
これを訂正する。
クエーサーの過去と未来。
宇宙の時代を電子のラブの公転軌道で示し、各々の時代の軌道を1ｍ3の原子数で示す。
但し、倍数は太陽の質量の倍数を示す。
【表１４】
2009005580.tif 000046
2009005580.tif 000047
2009005580.tif 000048
【発明の詳細な説明】
【技術分野】
【０００１】
この発明は、銀河系の中心から、10光年の分子雲のリングや、1000光年の高密度の分子雲のリングや、2000光年のガス円盤や、3キロパーセク・アームに関する。銀河系がどのようにできたか。腕がどのようにできたかに関する。
【背景技術】
【０００２】
銀河系の中心から、10光年の分子雲のリングや、1000光年の高密度の分子雲のリングや、2000光年のガス円盤や、3キロパーセク・アームの回転速度や膨張については観測されているが、どうしてそのようになっているのか、その原因については解明されていない。
銀河系の腕が具体的にどのようにできたか解明されていない。
【特許文献１】特開2008−079498
【特許文献２】特開2008−193892
【発明の開示】
【発明が解決しようとする課題】
【０００３】
１．銀河系の中心の106太陽質量のブラックホールが、軌道速度を作っていると、中心から、10光年の軌道、1000光年の軌道、2000光年の軌道、104光年の軌道の速度はいくらか。
２．3キロパーセク・アームの螺旋回転速度はいくらか。中心のブラックホールの質量は太陽質量の何倍か。
３．銀河系の中心から約2000光年のところに、厚さは200光年で、秒速200Ｋｍで回転する中性水素ガスから成るガス円盤がある。このガス円盤の螺旋回転速度はいくらか。中心のブラックホールの質量は太陽質量の何倍か。
４．円盤の中には、中心から1000光年のところに、特に密度の高い分子雲のリングが存在する。このリングは秒速50Ｋｍで回転しながら秒速130Ｋｍの速さで膨張している。この高密度の分子雲のリングの螺旋回転速度はいくらか。中心のブラックホールの質量は太陽質量の何倍か
５．銀河系の中心から10光年のところに、分子雲のリングがあり、秒速100Ｋｍで回転しながら秒速60Ｋｍ程度で膨張している。このリングの螺旋回転速度はいくらか。中心のブラックホールの質量は太陽質量の何倍か。
６．リングの半径と螺旋回転速度により、ブラックホールの質量は違ってくる。リングの半径を、Y光年とする場合、中心のブラックホールの質量は太陽質量の何倍かを求める式はどのようであるか。
７．銀河の中心の、リングは何年前にできたか。
８．3キロパーセク・アームはどのようにできたか。
９．3キロパーセク・アーム、中心から1000光年の高密度のリング、中心から10光年のリングを作ったのは何か。
１０．中心がブラックホールに成るための質量について。
１１．銀河系の中心の部に存在するリングの中心のブラックホールは太陽質量の何倍でできたか。
１２．腕の中心のブラックホールは太陽質量の何倍でできたか。
１３．時代により場のエネルギーは変化する。この事は何によって証明できるか。
１４．クエーサーのどの部分が銀河のどの部分になったか。
１５．銀河系の生成はどのようであったか。
１６．10−16ｍ時代の腕の球体の軌道がどのように腕のリングに成ったか。
１７．腕の中心に太陽質量の何倍のブラックホールが存在するか。これを求める式はどのようであるか。
１８．銀河系の中心のブラックホールの質量は変化するのか変化しないのか。
１９．腕の半径と螺旋回転の速度と公転速度を求める。
２０．螺旋回転速度2と半径の式はどのようであるか。腕の螺旋回転速度が光速より小さいとき、腕の半径はいくらか。
２１．腕の半径と螺旋回転の速度と公転速度を求める。
２２．腕は、腕の球体の軌道が腕のリングに成り、腕のリングがクエーサーのブラックホールの引力に引かれてできた。クエーサーの引力と、大きい腕のリングの中心のブラックホールの引力、中位の腕のリングの中心のブラックホールの引力、小さい腕のリングの中心のブラックホールの引力はいくらか。
２３．クエーサーのブラックホールと大きい腕のリングのブラックホールの間の引力はいくらか。クエーサーのブラックホールと中位の腕のリングのブラックホールの間の引力はいくらか。クエーサーのブラックホールと小さい腕のリングのブラックホールの間の引力はいくらか。
２４．私は、2007年8月25日に提出した、特願2007−246139の「請求項16」に記した、クエーサーの中央部の過去と未来。は間違いです。これを訂正する。
【課題を解決するための手段】
【０００４】
１．銀河系の中心には、106太陽質量のブラックホールがある。それなら、銀河系の中心の回転速度はとても速いはずである。少なくとも、中央に近い方の回転速度が速いはずです。しかし、10光年の分子雲のリングの回転速度は秒速100Ｋｍで、1000光年の高密度の分子雲のリングの回転速度は秒速50Ｋｍで、2000光年のガス円盤の回転速度は秒速200Ｋｍで、104光年の3キロパーセク・アームの回転速度は150Ｋｍです。
この回転速度を作っているのは、リングの中央に存在するブラックホールです。ブラックホールの質量とブラックホールの軌道からの半径で、半径の軌道のエネルギーは決定し、半径の軌道の速度は決定する。
私は、2008年1月4日に提出した特願2008−23309で、軌道エネルギーと軌道の速度について考えた。そして、腕の軌道エネルギーと速度は、中心のブラックホールの質量と半径によって決定される事を証明した。
速度2は軌道エネルギーであることを証明した。
中央のブラックホールの質量は10ｎ太陽質量です。
速度2＝軌道エネルギー＝5.4×1018＋2n/3J・Ｋｍ÷半径
これは、宇宙の軌道エネルギーです。
螺旋回転の場合。
螺旋回転の速度2＝軌道のエネルギー×79.7＝5.4×1018＋2n/3J・Ｋｍ÷半径×79.7
そして、銀河系の中心もこの軌道エネルギーの式に適応する。
銀河系の中心の分子雲のリングも、腕と同じように、螺旋回転しながら、銀河中心ののブラックホールを公転している。
２．10−16ｍ時代、1ｍ3の原子数は1018個です。この事から、ジェットが届いた半径を求め、これが現在、内側のハローの半径になっている。
腕の軌道が、腕のリングに成り、腕のリングのブラックホールがクエーサーの中心のブラックホールに引かれて、腕ができた。
腕の軌道の体積が腕のリングになった。
腕のリングの中心のブラックホールと、クエーサーの中心のブラックホールの間の距離が近いほど引力は大きくなる。それで、リングが小さい時、クエーサーのブラックホールに引かれ、腕に成った。リングの中のブラックホールの部分が引かれた。
【発明の効果】
【０００５】
次のことが理解できた。表にて示す。
１．銀河系の中心の様子。
【表１】
2009005580.tif 000003
２．
a.3キロパーセク・アームは腕とは無関係である。
b.3キロパーセク・アームは棒の腕が引き巻かれてできたのではない。
c.3キロパーセク・アームは小さな腕が引き巻かれてできた物ではない。
３．リングができてからの時間の比は、
6×107年前：2.3×106年前：5×104年前＝1200：46：１、です。
リングの中央のブラックホールの質量の比は、(10光年のリングの半径を2.5光年とした場合。)
14.33倍：0.29倍：0.00917倍＝1563：32：１
この事から理解できる事。
a.リングができた年代が古いほど、できたリングの中心のブラックホールの質量は大きい。
b.リングを作った銀河の中心のエネルギーは、古い時代ほどエネルギーが高かった事を示す。
c.銀河の中心のエネルギーは、ブラックホールのエネルギーであり、ブラックホールのエネルギーは、時代が昔であればあるほど高エネルギーである。
d.銀河の中心のブラックホールのエネルギーは、時代の経過にしたがって、小さくなる。
e.銀河の中心のブラックホールの質量は、106太陽質量で普遍ですが、エネルギーは、時代の経過にしたがって、小さくなる。
４．中心がブラックホールになるための質量。
【表２】
2009005580.tif 000004
５．中心のブラックホールを作るために必要な太陽質量エネルギー。
【表３】
2009005580.tif 000005
この事によって理解できること。
a.大きな腕ができるためには、銀河系の質量が必要である。
b.大きな質量のブラックホールを作るためには、大きな太陽質量が必要です。
c.しかし、銀河系の質量は、6×1011太陽質量であり、いつの時代においても普遍です。
d.それで、ブラックホールを作るために必要な質量は、質量ではなく質量エネルギーである。
e.銀河系の質量の大部分は中央部に存在するので、これは中央部の太陽質量エネルギーであるとみなす事ができる。
f.銀河系の中心部の、3キロパーセク・アームの中心のブラックホールや、中心から1000光年のリングのブラックホールは、銀河系の中心のブラックホールでできた。
銀河系の中心のブラックホールの質量は、106太陽質量で普遍です。
それなのに、6×107年前にできた3キロパーセク・アームの中心のブラックホールの質量は14.33太陽質量のブラックホールで、2.3×106年前にできた中心から1000光年のリングの中心のブラックホールの質量は、0.29太陽質量である。
この事は、銀河系の中心のブラックホールの質量エネルギーが変化している事を示す。
６．時代の場のエネルギーは変化する。
【表４】
2009005580.tif 000006
この事によって理解できる事
a.10−16ｍ時代の銀河のエネルギーは、10−14ｍ時代の銀河のエネルギーの約104倍である事が証明できる。
b.10−16ｍ時代の銀河のネルギーは、10−15ｍ時代の銀河のエネルギーの約102倍である事が証明できる。
c.これは、電子のラブや陽子のラブが作る電気の光子のエネルギー×磁気の光子のエネルギーの比です。
d.時代の場のエネルギーは光子のエネルギーです。
e.3キロパーセク・アームは10−15ｍ時代にできた。
７．クエーサーのどの部分が銀河のどの部分になったか。
【表５】
2009005580.tif 000007
８．10−16ｍ時代の宇宙と現代の宇宙の様子。
【表６】
2009005580.tif 000008
９．腕の軌道から腕のリングになった。
【表７】
2009005580.tif 000009
１０．腕のリングの螺旋回転速度と公転速度。
【表８】
2009005580.tif 000010
１１．大きい腕、中位の腕、小さい腕の螺旋回転速度2と半径の式、螺旋回転速度が光速より小さいときの腕の半径
【表９】
2009005580.tif 000011
１２．腕の半径と速度。
【表１０】
2009005580.tif 000012
１３．ブラックホールの引力(出発する磁気の光子のエネルギー)とクエーサーの中心のブラックホールと腕の中心のブラックホールの間の引力。
【表１１】
2009005580.tif 000013
【発明を実施するための最良の形態】
【０００６】
１．  銀河系の中心の106太陽質量のブラックホールが、軌道速度を作っていると、中心から、10光年の軌道、1000光年の軌道、2000光年の軌道、104光年の軌道の速度はいくらか。
10光年の軌道速度。
公転速度2＝5.4×1018＋2n/3J・Km÷半径
公転速度2＝5.4×1018＋2×6/3J・Km÷(10×9.46×1012Km)=5.708×108Ｊ
公転速度＝(5.708×108)1/2=2.389×104Km
1000光年の軌道速度。
公転速度2＝5.4×1018＋2×6/3J・Km÷(103×9.46×1012Km)=5.708×106Ｊ
公転速度＝(5.708×106)1/2=2.389×103Km
2000光年の軌道速度。
公転速度2＝5.4×1018＋2×6/3J・Km÷(2×103×9.46×1012Km)=2.854×106Ｊ
公転速度＝(2.854×106)1/2=1.689×103Km
104光年の軌道速度。
公転速度2＝5.4×1018＋2×6/3J・Km÷(104×9.46×1012Km)=5.708×105Ｊ
公転速度＝(5.708×105)1/2=7.555×102Km
この事により理解できる事。
銀河系の中心から10光年のリング、1000光年の高密度の分子雲のリング、2000光年のガス円盤、3キロパーセク・アームの回転は公転ではなく、螺旋回転です。
２．  3キロパーセク・アームの螺旋回転速度はいくらか。中心のブラックホールの質量は太陽質量の何倍か。           
銀河系の中心1万光年のところに、3パーセク・アームが存在する。これはリング状の中性水素ガス雲であり、厚さは300光年で、秒速150Ｋｍで回転しながら、秒速50Ｋｍで膨張している。
・3キロパーセク・アームの螺旋回転速度はいくらか。
私は、2008年1月4日に提出した特願2008−23309の「請求項20」で、(公転は螺旋回転によりできる。と記し、「請求項21」で、銀河系の腕を3種類に分類し、大きい腕、中位の腕、小さい腕、が螺旋回転し、進む距離の割合は、0.112です。螺旋回転の0.112は進行方向に向かって走る。)と記しました。
3キロパーセク・アームの公転速度は、秒速150Ｋｍです。
螺旋回転の速度は、
螺旋回転速度＝公転速度÷0.112＝150Ｋｍ÷0.112＝1339Ｋｍです。
3キロパーセク・アームの螺旋回転速度は、秒速1339Ｋｍです。
・3キロパーセク・アームの中心のブラックホールの質量は太陽質量の何倍か。
太陽質量の10n倍とする。
半径は、厚さ÷2＝300光年÷2＝150光年です。
螺旋回転の速度2＝軌道のエネルギー×79.7＝5.4×1018＋2n/3J・Ｋｍ÷半径×79.7
(1339Ｋｍ)2＝5.4×1018＋2n/3J・Ｋｍ÷(1.5×102×9.46×1012Ｋｍ)×79.7
1018＋2n/3＝(1.339×103)2÷5.4×1.5×102×9.46×1012÷79.7＝5.9×1018＝100.7709×1018＝1018.7709
18＋2n/3=18.7709
2n/3=0.7709
n=0.7709×3÷2＝1.1564
101.1564＝10×100.1564＝10×1.433＝14.33
よって、中心のブラックホールの質量は、太陽質量の14.33倍です。
３．  銀河系の中心から約2000光年のところに、厚さは200光年で、秒速200Ｋｍで回転する中性水素ガスから成るガス円盤がある。このガス円盤の螺旋回転速度はいくらか。中心のブラックホールの質量は太陽質量の何倍か。
・ガス円盤の螺旋回転速度はいくらか。
ガス円盤の公転は、秒速200Ｋｍです。
螺旋回転速度＝公転速度÷0.112＝200Ｋｍ÷0.112＝1785.7Ｋｍ
ガス円盤の螺旋回転速度は、秒速1785.7Ｋｍです。
・ガス円盤の中心のブラックホールの質量は太陽質量の何倍か。
半径は厚さ÷2＝200光年÷2＝100光年です。
螺旋速度2＝5.4×1018＋2ｎ/3J・Km÷半径×79.7
(1785.7)2＝5.4×1018＋2ｎ/3J・Km÷(102×9.46×1012Ｋｍ)×79.7
1018＋2ｎ/3J＝(1.785×103)2÷5.4×102×9.46×1012÷79.7＝7×1018＝100.8451＋18＝1018.8451
18＋2n/3=18.8451
2n/3=0.8451
n=0.8451×3÷2＝1.2677
101.2677＝10×100.2677＝10×1.852
ガス円盤の中心のブラックホールの質量は太陽質量の18.52倍です。
４．  円盤の中には、中心から1000光年のところに、特に密度の高い分子雲のリングが存在している。このリングは秒速50Ｋｍで回転しながら秒速130Ｋｍの速さで膨張している。この高密度の分子雲のリングの螺旋回転速度はいくらか。中心のブラックホールの質量は太陽質量の何倍か。
・高密度の分子雲のリングの螺旋回転速度はいくらか。
リングの公転速度は、秒速50Ｋｍです。リングの半径を200光年÷2＝100光年とする。
螺旋回転速度＝公転速度÷0.112＝50Ｋｍ÷0.112＝446.4Ｋｍ
リングの螺旋回転速度は、秒速446.4Ｋｍです。
・リングの中心のブラックホールの質量は太陽質量の何倍か。
リングの半径を200光年÷2＝100光年とする。
螺旋回転速度2＝5.4×1018＋2ｎ/3J・Km÷半径×79.7
446.42＝5.4×1018＋2ｎ/3J・Km÷(102×9.46×1012Ｋｍ)×79.7
1018＋2ｎ/3J＝446.42÷5.4×102×9.46×1012÷79.7＝4.38×1017＝100.6415＋17＝1017.6415
18＋2n/3=17.6415
ｎ＝(17.6415−18)×3÷2＝−0.3585×3÷2＝−0.5378＝−1＋0.4623
10−1＋0.4623＝0.1×2.9＝0.29
リングの中心のブラックホールの質量は太陽質量の0.29倍です。
５．  銀河系の中心から10光年のところに、分子雲のリングがあり、秒速100Ｋｍで回転しながら秒速60Ｋｍ程度で膨張している。このリングの螺旋回転速度はいくらか。中心のブラックホールの質量は太陽質量の何倍か。
・螺旋回転速度はいくらか。
このリングの公転は、秒速100Ｋｍです。
螺旋回転速度＝公転速度÷0.112＝100Ｋｍ÷0.112＝892.9Ｋｍ
螺旋回転速度は、秒速892.9Ｋｍです。
・このリングの中心のブラックホールの質量は太陽質量の何倍か。
1．10光年のところのリングの半径を、10÷４＝2.5光年とする。
螺旋回転速度2＝5.4×1018＋2ｎ/3JKm÷半径×79.7
892.92＝5.4×1018＋2ｎ/3JKm÷(2.5×9.46×1012Ｋｍ)×79.7
1018＋2ｎ/3J＝892.92÷5.4×2.5×9.46×1012÷79.7＝4.381×1016＝100.6416×1016＝1016.6416
18＋2n/3=16.6416
n=(16.6416−18)×3÷2＝−1.3584×3÷2＝−2.0376＝−3＋0.9624
10−3＋0.9624＝10−3×100.9624＝10−3×9.17＝0.00917
このリングの中心のブラックホールの質量は太陽質量の0.00917倍です。
2．10光年のところのリングの半径を、10÷10＝１光年とする。
892.92＝5.4×1018＋2ｎ/3JKm÷(9.46×1012Ｋｍ)×79.7
1018＋2ｎ/3J＝892.92÷5.4×9.46×1012÷79.7＝1.752×1016＝100.2435×1016＝1016.2435
18＋2n/3=16.2435
n=(16.2435−18)×3÷2＝−1.7565×3÷2＝−2.6348＝−3＋0.3653
10−3＋0.3653＝10−3×100.3653＝10−3×2.319＝0.0023
このリングの中心のブラックホールの質量は太陽質量の0.0023倍です。
６．  リングの半径と螺旋回転速度により、ブラックホールの質量は違ってくる。リングの半径を、Y光年とする場合、中心のブラックホールの質量は太陽質量の何倍かを求める式はどのようであるか。
螺旋回転速度2＝5.4×1018＋2ｎ/3J・Km÷半径×79.7
螺旋回転速度2＝5.4×1018＋2ｎ/3J・Km÷半径×79.7
螺旋回転速度2＝5.4×1018＋2ｎ/3J・Km÷(Y×9.46×1012Ｋｍ)×79.7
1018＋2ｎ/3J＝螺旋回転速度2÷5.4×Y×9.46×1012÷79.7＝螺旋回転速度2×2.198×1010×Y＝螺旋回転速度2×100.3420＋10×Y＝螺旋回転速度2×1010.3420×Y
18＋2n/3=10.3420＋log10Y＋log10螺旋回転速度2
ｎ＝(10.3420＋log10Y+
log10螺旋回転速度2−18)×3÷2
ｎ＝(−7.658＋log10Y+ log10螺旋回転速度2)×1.5
リングの半径を、Y光年とする場合、中心のブラックホールの質量は太陽質量の何倍かを求める式は、10ｎ倍とすると、ｎ＝(−7.658＋log10Y+ log10螺旋回転速度2)×1.5です。
例えば、リングの公転速度が秒速50Ｋｍで、半径Y=100光年とすると、
螺旋回転速度＝50Ｋｍ÷0.112＝446.4Ｋｍ
n＝(−7.658＋log10100+ log10446.42)×1.5＝(−7.658＋log10100+ log10199273)×1.5＝(−7.658＋2＋5＋0.2996)×1.5＝−0.3584×1.5＝−0.5376＝−1＋0.4624
10−1＋0.4624＝0.1×2.9＝0.29
中心のブラックホールの質量は、太陽質量の0.29倍です。
７．  銀河の中心の、リングは何年前にできたか。
リングは等速で膨張しているとする。ｘ年で膨張したとする。
・中心から約104光年のとこるにある、3キロパーセク・アームは秒速50Ｋｍで膨張している。いつできたか。
50Ｋｍ×ｘ×365×24×60×60＝104×9.46×1012Ｋｍ
ｘ＝104×9.46×1012Ｋｍ÷(50Ｋｍ×365×24×60×60)＝6×107
3キロパーセク・アームは6×107年前にできた。
・円盤の中の、中心から約1000光年のところにある、高密度の分子雲のリングが秒速130Ｋｍで膨張している。いつできたか。
130Ｋｍ×ｘ×365×24×60×60＝103×9.46×1012Ｋｍ
ｘ＝103×9.46×1012Ｋｍ÷(130Ｋｍ×365×24×60×60)＝2.3×106
中心から1000光年のところの高密度の分子雲のリングは2.3×106年前にできた。
・中心から10光年くらいのところにある、分子雲のリングは秒速60Ｋｍで膨張している。いつできたか。
60Ｋｍ×ｘ×365×24×60×60＝10×9.46×1012Ｋｍ
ｘ＝10×9.46×1012Ｋｍ÷(60Ｋｍ×365×24×60×60)＝5×104
中心から10光年のところの分子雲のリングは5×104年前にできた。
まとめて表に示す。
【表１２】
2009005580.tif 000014
８．  3キロパーセク・アームはどのようにできたか。
私は、3キロパーセク・アームは、腕の軌道が、中央のブラックホールの回転と引力に引かれてできた、と考えましたが、3キロパーセク・アームの中心のブラックホールの質量が14.33太陽質量である事から、3キロパーセク・アームは、腕が引かれてできたのではない、と考えます。
なぜなら、腕の中心のブラックホールの質量は次のように大きいからです。
次に2008年1月4日に提出した特願2008−23309の「請求項28」に示した、腕の中心のブラックホールの質量を示す。
【表１３】
2009005580.tif 000015
この事から理解できる事。
1．3キロパーセク・アームは腕とは無関係である。
2．3キロパーセク・アームは棒の腕が引き巻かれてできたのではない。
3．3キロパーセク・アームは小さな腕が引き巻かれてできた物ではない。
９．  3キロパーセク・アーム、中心から1000光年の高密度のリング、中心から10光年のリングを作ったのは何か。
リングができてからの時間の比は、
6×107年前：2.3×106年前：5×104年前＝1200：46：１、です。
リングの中央のブラックホールの質量の比は、(10光年のリングの半径を2.5光年とした場合。)
14.33倍：0.29倍：0.00917倍＝1563：32：１
このことによって理解できる事。
1．リングができた年代が古いほど、できたリングの中心のブラックホールの質量は大きい。
2．リングを作った銀河の中心のエネルギーは、古い時代ほどエネルギーが高かった事を示す。
3．銀河の中心のエネルギーは、ブラックホールのエネルギーであり、ブラックホールのエネルギーは、時代が昔であればあるほど高エネルギーである。
4．銀河の中心のブラックホールのエネルギーは、時代の経過にしたがって、小さくなる。
5．銀河の中心のブラックホールの質量は、106太陽質量で普遍ですが、エネルギーは、時代の経過にしたがって、小さくなる。
１０．  中心がブラックホールに成るための質量について。
1．銀河やクエーサーの質量が太陽質量の何倍であると、中心はブラックホールに成るか。
私は、2007年8月25日に特許出願した、特願2007−256139の「請求項22」で、中心部が太陽質量のβ倍のクエーサーや銀河のＡの値は、Ａ＝4.325×104×β1/3です。と記した。
銀河やクエーサーの質量が太陽の10β倍の時、
Ａ＝4.325×104×10β/3、です。
ブラックホールのＡは7.378×105ですから、
ブラックホールのＡ＝7.378×105＝4.325×104×10β/3
10β/3＝7.378×105÷(4.325×104)＝1.706×10
10β＝(1.706×10)3＝4.965×103
銀河やクエーサーの質量が太陽質量の4.965×103倍であれば、中心部はブラックホールになる。
2．銀河やクエーサーの質量が太陽質量の何倍であると、中心部は太陽質量のブラックホールになるか。
太陽質量のブラックホールになるために必要な質量は、、
ブラックホールになるための質量×ブラックホールのＡ÷太陽の中心のＡ＝4.965×103太陽質量×7.378×105÷(3.873×103)＝9.458×105太陽質量です。
銀河やクエーサーの質量が太陽質量の9.458×105倍であると、中心部は太陽質量のブラックホールになる。
3．銀河やクエーサーの質量が太陽質量の何倍であると、中心部は太陽質量のＢ倍のブラックホールに成るか。
太陽質量のＢ倍であるから、2．のＢ倍の質量が必要です。
太陽質量のＢ倍のブラックホールになるために必要な質量は、
Ｂ×4.965×103太陽質量×7.378×105÷(3.873×103)＝Ｂ×9.458×105太陽質量です。
質量が太陽質量のＢ×9.458×105倍であると、中心部は太陽質量のＢ倍のブラックホールに成る。
例えば、銀河の中心部のブラックホールの質量が太陽質量の106倍の場合、銀河の質量は、
Ｂ×9.458×105太陽質量＝106×9.458×105太陽質量＝9.458×1011太陽質量です。
例えば、銀河の質量が6×1011太陽質量の場合、中心のブラックホールの質量は太陽質量の何倍か。
Ｂ×9.458×105太陽質量＝6×1011太陽質量
Ｂ＝6×1011太陽質量÷(9.458×105太陽質量)＝6.344×105
銀河の質量が6×1011太陽質量の場合、中心のブラックホールの質量は太陽質量の6.344×105倍です。
表に示す。
【表１４】
2009005580.tif 000016
１１．  銀河系の中心の部に存在するリングの中心のブラックホールは太陽質量の何倍でできたか。
・3キロパーセク・アームの中心のブラックホールの質量は14.33太陽質量です。
このブラックホールを作った質量は、
14.33×9.458×105太陽質量＝1.355×107太陽質量、です。
・中心から2000光年のガス円盤の中心のブラックホールの質量は18.52太陽質量です。
このブラックホールを作った質量は、
18.52×9.458×105太陽質量＝1.752×107太陽質量、です。
・中心から1000光年の高密度のリングの中心のブラックホールの質量は0.29太陽質量です。
このブラックホールを作った質量は、
0.29×9.458×105太陽質量＝2.743×105太陽質量、です。
・中心から10光年のリングの中心のブラックホールの質量は0.00917太陽質量です。
このブラックホールを作った質量は、
0.00917×9.458×105太陽質量＝8.606×103太陽質量、です。
１２．  腕の中心のブラックホールは太陽質量の何倍でできたか。
・大きい腕の中心のブラックホールは、1.247×104太陽質量です。
このブラックホールを作った質量は、
1.247×104×9.458×105太陽質量＝1.179×1010太陽質量、です。
・中位の腕の中心のブラックホールは、5.252×103太陽質量です。
このブラックホールを作った質量は、
5.252×103×9.458×105太陽質量＝4.967×109太陽質量、です。
・小さい腕の中心のブラックホールは、1.55×103太陽質量です。
このブラックホールを作った質量は、
1.55×103×9.458×105太陽質量＝1.466×109太陽質量、です。
まとめて表に示す。
【表１５】
2009005580.tif 000017
この事によって理解できること。
1．大きな腕ができるためには、銀河系の質量が必要である。
2．大きな質量のブラックホールを作るためには、大きな太陽質量が必要です。
3．しかし、銀河系の質量は、6×1011太陽質量であり、いつの時代においても普遍です。
４．それで、ブラックホールを作るために必要な質量は、質量ではなく質量エネルギーである。
5．銀河系の質量の大部分は中央部に存在するので、これは中央部の太陽質量エネルギーであるとみなす事ができる。
6．銀河系の中心部の、3キロパーセク・アームの中心のブラックホールや、中心から1000光年のリングのブラックホールは、銀河系の中心のブラックホールでできた。
銀河系の中心のブラックホールの質量は、106太陽質量で普遍です。
それなのに、6×107年前にできた3キロパーセク・アームの中心のブラックホールの質量は14.33太陽質量のブラックホールで、2.3×106年前にできた中心から1000光年のリングの中心のブラックホールの質量は、0.29太陽質量である。
この事は、銀河系の中心のブラックホールの質量エネルギーが変化している事を示す。
１３．  時代により場のエネルギーは変化する。この事は何によって証明できるか。
私は、2006年11月15日に提出した特願2007−336352の「請求項1」で、
電子のラブが1公転で作る電気の光子1個のエネルギーを求める式を、
1.233×10−41Ｊｍ÷軌道、
電子のラブが1自転して作る磁気の光子1個のエネルギーを求める式を、
1.549×10−49Ｊｍ÷公転軌道、と記した。
10−16ｍ時代の場のエネルギー。
10−16ｍ時代、電子のラブの公転軌道は10−16ｍです。
電子のラブが1公転で作る電気の光子1個のエネルギーは、
約10−41Ｊｍ÷10−16ｍ＝10−25Ｊです。
電子のラブが1公転で作る磁気の光子108個のエネルギーは、
約10−49Ｊｍ÷10−16ｍ×108＝10−25Ｊです。
10−16ｍ時代、この場には、このエネルギーの電気の光子と磁気の光子が存在します。
1電子のラブが1公転で作る、電気の光子のエネルギー×磁気の光子のエネルギー＝10−25Ｊ×10−25Ｊ＝10−50Ｊです。
10−15ｍ時代の場のエネルギー。
10−15ｍ時代、電子のラブの公転軌道は10−15ｍです。
電子のラブが1公転で作る電気の光子1個のエネルギーは、
約10−41Ｊｍ÷10−15ｍ＝10−26Ｊです。
電子のラブが1公転で作る磁気の光子108個のエネルギーは、
約10−49Ｊｍ÷10−15ｍ×108＝10−26Ｊです。
10−15ｍ時代、この場には、このエネルギーの電気の光子と磁気の光子が存在します。
1電子のラブが1公転で作る、電気の光子のエネルギー×磁気の光子のエネルギー＝10−26Ｊ×10−26Ｊ＝10−52Ｊです。
10−14ｍ時代の場のエネルギー。
10−14ｍ時代、電子のラブの公転軌道は10−14ｍです。
電子のラブが1公転で作る電気の光子1個のエネルギーは、
約10−41Ｊｍ÷10−14ｍ＝10−27Ｊです。
電子のラブが1公転で作る磁気の光子108個のエネルギーは、
約10−49Ｊｍ÷10−14ｍ×108＝10−27Ｊです。
10−14ｍ時代、この場には、このエネルギーの電気の光子と磁気の光子が存在します。
1電子のラブが1公転で作る、電気の光子のエネルギー×磁気の光子のエネルギー＝10−27Ｊ×10−27Ｊ＝10−54Ｊです。
それで、
10−16ｍ時代の場のエネルギー：10−15ｍ時代の場のエネルギー：10−14ｍ時代の場のエネルギー＝10−50Ｊ：10−52Ｊ：10−54Ｊ＝104：102：１
10−16ｍ時代のエネルギーは、10−14ｍ時代のエネルギーの104倍であり、10−15ｍ時代のエネルギーは、10−14ｍ時代のエネルギーの102倍である。
・この事は何によって証明できるか。
この事は、銀河の中心部のリングのブラックホールができた時、ブラックホールを作った質量エネルギーが異なる事によって、証明できる。
3キロパーセク・アームの中のブラックホールや、中心から1000光年の高密度のリングの中のブラックホールは10−14ｍ時代にできた。
このブラックホールを作った質量エネルギーは、
3キロパーセク・アームの中のブラックホールは、1.355×107太陽質量エネルギーでできた。
1000光年のリングの中心のブラックホールは、2.743×105太陽質量エネルギーでできた。
大きい腕の中のブラックホールや、中位の腕の中のブラックホールや、小さい腕の中のブラックホールは10−16ｍ時代にできた。
大きい腕の中のブラックホールは、1.179×1010太陽質量エネルギーでできた。
中位の腕の中のブラックホールは、4.967×109太陽質量エネルギーでできた。
小さい腕の中のブラックホールは、1.466×109太陽質量エネルギーでできた。
・10−16ｍ時代の質量エネルギーは、10−14ｍ時代の質量エネルギーの何倍であるか。
大きい腕の中心のブラックホールを作った質量エネルギー÷3キロパーセク・アームの中心のブラックホールを作った質量エネルギー＝1.179×1010太陽質量エネルギー÷(1.355×107太陽質量エネルギー)＝8.782×102(倍)
中位の腕の中心のブラックホールを作った質量エネルギー÷3キロパーセク・アームの中心のブラックホールを作った質量エネルギー＝4.967×109太陽質量エネルギー÷(1.355×107太陽質量エネルギー)＝3.666×102(倍)
小さい腕の中心のブラックホールを作った質量エネルギー÷3キロパーセク・アームの中心のブラックホールを作った質量エネルギー＝1.466×109太陽質量エネルギー÷(1.355×107太陽質量エネルギー)＝1.082×102(倍)
大きい腕の中心のブラックホールを作った質量エネルギー÷中心から1000光年の中心のブラックホールを作った質量エネルギー＝1.179×1010太陽質量エネルギー÷(2.743×105太陽質量エネルギー)＝4.298×104(倍)
中位の腕の中心のブラックホールを作った質量エネルギー÷中心から1000光年の中心のブラックホールを作った質量エネルギー＝4.967×109太陽質量エネルギー÷(2.743×105太陽質量エネルギー)＝1.81×104(倍)
小さい腕の中心のブラックホールを作った質量エネルギー÷中心から1000光年の中心のブラックホールを作った質量エネルギー＝1.466×109太陽質量エネルギー÷(2.743×105太陽質量エネルギー)＝5.344×103(倍)
このように、10−16ｍ時代の銀河系の質量エネルギーは、10−14ｍ時代の銀河系の質量エネルギーの約104倍です。
この事によって、3キロパーセク・アームができた時代は、10−15ｍの時代であると考えられる。
まとめて表に示す。
【表１６】
2009005580.tif 000018
この事によって理解できる事
1．10−16ｍ時代の銀河のエネルギーは、10−14ｍ時代の銀河のエネルギーの約104倍である事が証明できる。
2．10−16ｍ時代の銀河のネルギーは、10−15ｍ時代の銀河のエネルギーの約102倍である事が証明できる。
3．これは、電子のラブや陽子のラブが作る電気の光子のエネルギー×磁気の光子のエネルギーの比です。
４．時代の場のエネルギーは光子のエネルギーです。
5．3キロパーセク・アームは10−15ｍ時代にできた。
１４．  クエーサーのどの部分が銀河のどの部分になったか。
クエーサーは、クエーサーの球体＋腕の軌道、でできている。
銀河は、中心核バルジ＋3キロパーセクの腕＋腕、でできている。
・クエーサーのどの部分が銀河のどの部分になったか。
ケーサーの球体は、銀河の中心核バルジに成った。中心核バルジは中心から6000光年です。
クエーサーの腕の軌道は、腕に成った。
これを表に示す。
【表１７】
2009005580.tif 000019
１５．  銀河系の生成はどのようであったか。
私は、2008年7月4日に提出した特願2008−200203の「請求項13」で、
(クエーサーの円周は光速で10日間で1周する距離である時、
クエーサーの半径は4.127×1010Ｋｍ
このクエーサーが、現在、銀河系のバルジになっている。
・現在の銀河系は、10−16ｍ時代のクエーサーの何倍になっているか。
銀河系のバルジは半径1.5×104光年です。
バルジはクエーサーの何倍になったか。
バルジの半径÷クエーサーの半径＝1.5×104×9.46×1012Km÷(4.127×1010Km)＝3.438×106
バルジはクエーサーの3.438×106倍に成った。
現在の銀河系は、10−16ｍ時代のクエーサーの3.438×106倍になっている。)と記したが、これは誤りです。
私は、2008年7月4日に提出した特願2008−200203の「請求項14」で、
(10−16ｍ時代、銀河系の質量が集められ、その質量でできるジェットが届く距離は、ジェットが届いた最大半径であり、それは現在、ハローになっていると考える場合。
10−16ｍ時代、１ｍ3に9.970×1017個の原子が存在した。)と記した。
私は、2007年8月25日に提出した、特願2007−246139の「請求項27」で、
10−16ｍ時代の１ｍ3の原子数は1018個である。としたので、「請求項14」は正しい。
それで、再度、「請求項１４」を考慮し、銀河系の生成について考える。
・中心核バルジの質量は、銀河系の質量のどれくらいか。周囲の腕の質量はいくらくらいか。
1．地球の質量を1としますと、太陽の質量は3.32946×105です。
惑星の合計は、
水星＋金星＋地球＋火星＋木星＋土星＋天王星＋海王星＝0.055＋0.815＋1＋0.107＋317.83＋95.16＋14.54＋17.15＝446.657  です。
太陽の質量：惑星の全質量＝3.32946×105：446.657＝745.418：１
この割合で、中心核バルジの質量と腕の質量が存在するとしますと、
腕の質量は、
6×1011太陽質量÷745.418＝8.049×108太陽質量、です。
中心核バルジの質量は約6×1011太陽質量です。
2．また、私は、2008年7月4日に提出した、特願2008−200203の「請求項12」で、銀河系の腕の質量を表のように理解した。
【表１８】
2009005580.tif 000020
腕の質量の合計は、
3.116×108太陽質量＋1.750×109太陽質量＋2.494×109太陽質量＝4.556×109太陽質量、です。
それで、中央核バルジの質量は、ほぼ銀河系全体の質量であるとみなす事ができる。
中心核バルジの質量は、6×1011太陽質量とみなす事ができる。
クエーサーの球体の質量は、6×1011太陽質量とみなす事ができる。
・10−16ｍ時代、1ｍ3の原子数は1018個です。この事から、ジェットが届いた半径を求め、これが現在、内側のハローの半径になっている。
この事から、銀河系の生成を考える。
・10−16ｍ時代、6×1011太陽質量の原子が存在する体積はいくらか。この半径はいくらか。
10−16ｍ時代、1ｍ3の原子数は1018個ですから、6×1011太陽質量の原子が存在する体積は、
6×1011×1.2×1057個÷1018個/m＝7.2×1050ｍ3
7.2×1050ｍ3＝7.2×1050−9Ｋｍ3＝7.2×1041Ｋｍ3
7.2×1041Ｋｍ3です。
この半径はいくらか。
4π÷3×ｒ3＝7.2×1041Ｋｍ3
ｒ3＝7.2×1041Ｋｍ3÷4π×3＝1.72×1041Ｋｍ3
ｒ＝1721/3×1013Ｋｍ＝5.57×1013Ｋｍ
10−16ｍ時代、6×1011太陽質量の原子が存在する体積は7.2×1041Ｋｍ3です。この半径は5.57×1013Ｋｍです。
ジェットが届いた最大半径は、5.57×1013Ｋｍで、この空間のダークマターはクエーサーの質量に成った。
・ジェットが届いた最大半径が5.57×1013Ｋｍであるとき、クエーサーの質量はいくらか。
クエーサーの質量を太陽質量のβ倍とする。
ジェットが届いた半径＝6.6×109Ｋｍ×β1/3=5.57 ×1013Ｋｍ
β1/3=5.57
×1013Ｋｍ÷(6.6×109Ｋｍ)＝8.439×103
β＝8.4393×109＝6×1011
ジェットが届いた最大半径が5.57×1013Ｋｍであるとき、クエーサーの質量は6×1011太陽質量です。
それで、この式は、原子が１ｍ3に1018個存在する場合に成立する。
１0−１６ｍ時代に成立する。
・ジェットが届いた最大半径は、現在、内側のハローになっている。現在の宇宙は、10−16ｍ時代の宇宙の何倍に拡大したか。10−16ｍ時代の宇宙は、現在の宇宙の何倍であったか。
・現在の宇宙は、10−16ｍ時代の宇宙の何倍に拡大したか。
10−16ｍ時代、ジェットが届いた最大半径が5.57×1013Ｋｍで、これが、現在、内側のハローで、半径7.5×104光年になっているから、
7.5×104×9.46×1012Ｋｍ÷(5.57×1013Ｋｍ)＝1.274×104倍に拡大した。
現在の宇宙は、10−16ｍ時代の宇宙の1.274×104倍に拡大した。
・10−16ｍ時代の宇宙は、現在の宇宙の何倍であったか。
5.57×1013Ｋｍ÷(7.5×104×9.46×1012Ｋｍ)＝7.851×10−5倍
10−16ｍ時代の宇宙は、現在の宇宙の7.851×10−5倍であった。
・10−16ｍ時代、大きい腕の軌道の半径はいくらか。
現在、大きい腕の半径は、4×104光年であるとすると、
4×104×9.46×1012Ｋｍ×7.851×10−5＝2.971×1013Ｋｍです。
10−16ｍ時代、大きい腕の軌道の半径は、2.971×1013Ｋｍです。
・10−16ｍ時代、中位の腕の軌道の半径はいくらか。
現在、中位の腕の半径は、3×104光年であるとすると、
3×104×9.46×1012Ｋｍ×7.851×10−5＝2.228×1013Ｋｍです。
10−16ｍ時代、中位の腕の軌道の半径は、2.228×1013Ｋｍです。
・10−16ｍ時代、小さい腕の軌道の半径はいくらか。
現在、小さい腕の半径は、2×104光年であるとすると、
2×104×9.46×1012Ｋｍ×7.851×10−5＝1.485×1013Ｋｍです。
10−16ｍ時代、小さい腕の軌道の半径は、1.485×1013Ｋｍです。
・10−16ｍの時代、クエーサーの球体の半径はいくらか。
10−16ｍの時代、クエーサーの球体は、現在、半径6000光年の中心核バルジに成った。
それで、クエーサーの球体の半径は、
6000×9.46×1012Ｋｍ×7.851×10−5＝4.456×1012Ｋｍです。
10−16ｍの時代、クエーサーの球体の半径は、4.456×1012Ｋｍです。
・10−16ｍの時代、クエーサーの球体の速度はいくらか。
クエーサーの球体の半径は、4.456×1012Ｋｍです。
公転速度2＝5.4×1018＋2n/3J/Km÷半径＝5.4×1018＋2×6/3J/Km÷(4.456×1012Ｋｍ)＝5.4×1022÷(4.456×1012)＝1.211×1010
公転速度＝(1.211×1010)1/2=1.1×105Ｋｍ
10−16ｍの時代、クエーサーの球体の公転速度は、秒速1.1×105Ｋｍです。
この事を表に示す。
【表１９】
2009005580.tif 000021
１６．  10−16ｍ時代の腕の球体の軌道がどのように腕のリングに成ったか。
10−16ｍ時代、
大きな腕の軌道の半径は、2.971×1013Ｋｍ。
中位の腕の軌道の半径は、2.228×1013Ｋｍ。
小さい腕の軌道の半径は、1.485×1013Ｋｍ。
現在。
大きな腕の半径は4×104光年とする。
中位の腕の半径は3×104光年とする。
小さい腕の半径は2×104光年とする。
10−16ｍ時代の腕の軌道が現在の腕に成るとき、
a.腕の軌道はリングになったと仮定する。
b.Rはリングの大きな半径で、銀河系の中心からの半径とする。
c.rはリングの小さな半径で、螺旋回転する半径とする。
△大きい腕はどのようにできたか。
1．大きい腕の軌道の体積が、大きい腕のリングの体積になる場合。
大きい腕のリングのＲとｒはいくらになるか。
大きい腕のＲ：ｒ＝4×104光年：2500光年＝16：1
リングの断面積＝πｒ2
リングの円周＝2πＲ
大きい腕のリングの体積＝リングの断面積×リングの円周＝πｒ2×2πＲ＝2π2ｒ2Ｒ＝2π2ｒ2×16ｒ＝32π2ｒ3
大きい腕の軌道の体積＝大きい腕の軌道までの体積−中位の腕の軌道までの体積＝4/3×π×(2.971×1013Ｋｍ)3−4/3×π×(2.228×1013Ｋｍ)3＝4/3×π×(26.225−11.06)1039Ｋｍ3＝4/3×π×15.165×1039Ｋｍ3＝63.49×1039Ｋｍ3
大きい腕のリングの体積＝大きい腕の軌道の体積
32π2ｒ3＝63.49×1039Ｋｍ3
ｒ3＝63.49×1039Ｋｍ3÷32π2＝63.49×1039Ｋｍ3÷(32×9.86)＝0.2×1039Ｋｍ3
ｒ＝0.21/3×1013Ｋｍ＝0.59×1013Ｋｍ＝5.9×1012Ｋｍ
Ｒ＝16ｒ＝16×0.59×1013Ｋｍ＝9.44×1013Ｋｍ
大きい腕の軌道は、半径2.971×1013Ｋｍから、大きい腕のリングに成りました。
大きい腕の軌道の体積が、大きい腕のリングの体積になる場合。
大きい腕のリングのＲは9.44×1013Ｋｍになり、ｒは5.9×1012Ｋｍになる。
2．大きい腕の軌道の半径が10倍に成った時の体積が、大きい腕のリングの体積に成る場合。大きい腕のリングのＲとｒはいくらになるか。
半径が10倍になったとき体積は1000倍になります。
大きい腕の軌道の体積＝63.49×1039Ｋｍ3×1000＝63.49×1042Ｋｍ3
大きい腕のリングの体積＝大きい腕の軌道の体積
32π2ｒ3＝63.49×1042Ｋｍ3
ｒ3＝63.49×1042Ｋｍ3÷32π2＝63.49×1042Ｋｍ3÷(32×9.86)＝0.2×1042Ｋｍ3
ｒ＝0.59×1014Ｋｍ
Ｒ＝9.44×1014Ｋｍ
大きい腕の軌道の半径が10倍に成った時の体積が、大きい腕のリングの体積に成る場合。大きい腕のリングのＲとｒは10倍に成り、Ｒは9.44×1014Ｋｍになり、ｒは0.59×1014Ｋｍになる。
△中位の腕はどのようにできたか。
1．中位の腕の軌道の体積が、中位の腕のリングの体積になる場合。
中位の腕のリングのＲとｒはいくらになるか。
中位の腕のＲ：ｒ＝3×104光年：2500光年＝12：1
リングの断面積＝πｒ2
リングの円周＝2πＲ
中位の腕のリングの体積＝リングの断面積×リングの円周＝πｒ2×2πＲ＝2π2ｒ2Ｒ＝2π2ｒ2×12ｒ＝24π2ｒ3
中位の腕の軌道の体積＝中位の腕の軌道までの体積−小さい腕の軌道までの体積＝4/3×π×(2.228×1013Ｋｍ)3−4/3×π×(1.485×1013Ｋｍ)3＝4/3×π(11.06−3.275)1039Ｋｍ3＝4/3×π×7.785×1039Ｋｍ3=32.593×1039Ｋｍ3
中位の腕のリングの体積＝中位の腕の軌道の体積
24π2ｒ3＝32.593×1039Ｋｍ3
ｒ3＝32.593×1039Ｋｍ3÷24π2＝32.593×1039Ｋｍ3÷(24×9.86)＝0.1377×1039Ｋｍ3
ｒ＝0.13771/3×1013Ｋｍ3＝0.516×1013Ｋｍ＝5.16×1012Ｋｍ
Ｒ＝12ｒ＝12×0.516×1013Ｋｍ＝6.192×1013Ｋｍ
中位の腕の軌道は、半径2.228×1013Ｋｍから、中位の腕のリングに成りました。
中位の腕の軌道の体積が、中位の腕のリングの体積になる場合。
中位の腕のリングのＲは6.192×1013Ｋｍになり、ｒは0.516×1013Ｋｍになる。
2．中位の腕の軌道の半径が10倍に成った時の体積が、中位の腕のリングの体積に成る場合。中位の腕のリングのＲとｒはいくらになるか。
半径が10倍になったとき体積は1000倍になります。
中位の腕の軌道の体積＝32.593×1039Ｋｍ3×1000＝32.593×1042Ｋｍ3
中位の腕のリングの体積＝中位の腕の軌道の体積
24π2ｒ3＝32.593×1042Ｋｍ3
ｒ3＝32.593×1042Ｋｍ3÷24π2＝32.593×1042Ｋｍ3÷(24×9.86)＝0.1377×1042Ｋｍ3
ｒ＝0.516×1014Ｋｍ
Ｒ＝6.192×1014Ｋｍ
中位の腕の軌道の半径が10倍に成った時の体積が、中位の腕のリングの体積に成る場合。中位の腕のリングのＲとｒは10倍に成り、Ｒは6.192×1014Ｋｍになり、ｒは5.16×1013Ｋｍになる。
△小さい腕はどのようにできたか。
1．小さい腕の軌道の体積が、小さい腕のリングの体積になる場合。
小さい腕のリングのＲとｒはいくらになるか。
小さい腕のＲ：ｒ＝2×104光年：2500光年＝8：1
リングの断面積＝πｒ2
リングの円周＝2πＲ
小さい腕のリングの体積＝リングの断面積×リングの円周＝πｒ2×2πＲ＝2π2ｒ2Ｒ＝2π2ｒ2×8ｒ＝16π2ｒ3
現在、小さい腕は、半径1.5×104光年から半径2×104光年とします。
これは、10−16ｍ時代、
2×104×9.46×1012Ｋｍ×7.851×10−5＝1.485×1013Ｋｍ
1.5×104×9.46×1012Ｋｍ×7.851×10−5＝1.114×1013Ｋｍです。
小さい腕の軌道の体積＝半径1.485×1013Ｋｍまでの体積−半径1.114×1013Ｋｍまでの体積＝4/3×π×(1.485×1013Ｋｍ)3−4/3×π×(1.114×1013Ｋｍ)3＝4/3×π(3.275−1.382)1039Ｋｍ3＝4/3×π×1.893×1039Ｋｍ3＝7.925×1039Ｋｍ3
小さい腕のリングの体積＝小さい腕の軌道の体積
16π2ｒ3＝7.925×1039Ｋｍ3
ｒ3＝7.925×1039Ｋｍ3÷16π2＝7.925×1039Ｋｍ3÷(16×9.86)＝50.2×1036Ｋｍ3
ｒ＝50.21/3×1012Ｋｍ3＝3.69×1012Ｋｍ
Ｒ＝8ｒ＝8×3.69×1012Ｋｍ＝2.952×1013Ｋｍ
小さい腕の軌道は、半径1.485×1013Ｋｍから、小さい腕のリングに成りました。
小さい腕の軌道の体積が、小さい腕のリングの体積になる場合。小さい腕のリングのＲは2.952×1013Ｋｍになり、ｒは3.69×1012Ｋｍになる。
2．小さいの腕の軌道の半径が10倍に成った時の体積が、小さい腕のリングの体積に成る場合。小さい腕のリングのＲとｒはいくらになるか。
半径が10倍になったとき体積は1000倍になります。
小さい腕の軌道の体積＝7.925×1039Ｋｍ3×1000＝7.925×1042Ｋｍ3
小さい腕のリングの体積＝小さい腕の軌道の体積
16π2ｒ3＝7.925×1042Ｋｍ3
ｒ3＝7.925×1042Ｋｍ3÷16π2＝7.925×1042Ｋｍ3÷(16×9.86)＝50.2×1039Ｋｍ3
ｒ＝3.69×1013Ｋｍ
Ｒ＝2.952×1014Ｋｍ
小さい腕の軌道の半径が10倍に成った時の体積が、小さい腕のリングの体積に成る場合。小さい腕のリングのＲとｒは10倍に成り、Ｒは2.952×1014Ｋｍになり、ｒは3.69×1013Ｋｍになる。
この事をまとめ表に示す。
【表２０】
2009005580.tif 000022
１７．  腕の中心に太陽質量の何倍のブラックホールが存在するか。これを求める式はどのようであるか。
私は、2008年1月4日に提出した2008−23309の「請求項25」で、この問題を解くため、
ブラックホールの表面の原子数。
ブラックホールの半径に存在する原子数。
ブラックホールに存在する原子数。
ブラックホールの質量は太陽の原子数の何倍か。
この過程から導き出した。
今回は、1つの式で、腕の中心に太陽質量の何倍のブラックホールが存在するか、を求める。螺旋回転する軌道の中心にはブラックホールが存在する。
このブラックホールの質量を10n太陽質量とするとき、
螺旋回転速度2＝5.4×1018＋2n/3J・Km÷半径×79.7です。
この式から10nを求める。
102n/3=螺旋回転速度2÷5.4×10−18×半径÷79.7、です。
腕の中心に太陽質量の何倍のブラックホールが存在するか。これを求める式は、
102n/3=螺旋回転速度2÷5.4×10−18×半径÷79.7、です。
このことについては、2008年3月29日に提出した、特願2008−113159の「請求項９」のＢに記した。
１８．  銀河系の中心のブラックホールの質量は変化するのか変化しないのか。
質量は変化しない。しかし、エネルギーは変化する。
私は、2007年8月25日に提出した、特願2007−246139の「請求項16」に記した、クエーサーの中央部の過去と未来。は間違いです。
電子のラブの質量はいかなる場においても変わらない。陽子のラブの質量はいかなる場においても変わらない。なぜなら、電子のラブと陽子のラブの質量は、ビッグバンの時のエネルギーでできた物で、このエネルギーより大きいエネルギーでなければ、質量を変える事はできない。これが「質量普遍の法則」の理由です。
質量は同じで、エネルギーが変化します。電子のラブと陽子のラブのエネルギーはその回転軌道に現れています。
私は、2008年1月4日に提出した、特願2008−23309の「請求項28」で、
現在、銀河系の中心のブラックホールの質量は太陽質量の数百万倍です。
それで、10−16ｍ時代(電子のラブの公転軌道が10−16ｍの時で、宇宙年齢は1億歳です。)のクエーサーの中心のブラックホールの質量は、太陽質量の106＋2倍でした。と記した。
これは間違いです。
これを訂正し、「請求項24」に記す。
そして、大きな軌道の速度と、中位の軌道の速度と、小さい軌道の速度、を
5.438×1018×10(2×8)÷3Ｊ・Km÷半径、の式で算出しましたが、これは公転の式なので、誤りです。
１９．  10−16ｍ時代の腕の軌道の体積がそのまま変わらずに、腕のリングになった場合の螺旋回転速度と公転速度はいくらか。10−16ｍ時代の腕の軌道が10倍(体積が1000倍)になり、腕のリングになった場合の螺旋回転速度と公転速度はいくらか。
△大きい腕のリングの場合。
大きい腕の中心のブラックホールの質量は、1.247×104太陽質量です。
これは、1.247×104＝100.0958×104＝104.0958、です。
体積がそのままリングになったとき、ｒは5.9×1012Ｋｍです。
螺旋回転速度2＝5.4×1018＋2n/3J・Ｋｍ÷半径×79.7=5.4×1018×102×4.0958÷3 J・Ｋｍ÷(5.9×1012Ｋｍ)×79.7＝7.295×107×102.7305Ｊ＝7.295×107＋2×100.7305Ｊ＝7.295×109×5.376Ｊ＝3.922×1010Ｋｍ
螺旋回転速度＝(3.922×1010Ｋｍ)1/2=1.980×105Ｋｍ
公転速度＝螺旋回転速度×0.112＝1.980×105Ｋｍ×0.112＝2.218×104Ｋｍ
体積が1000倍になり、リングになったとき、ｒは5.9×1013Ｋｍです。
螺旋回転速度2＝5.4×1018×102×4.0958÷3 J・Ｋｍ÷(5.9×1013Ｋｍ)×79.7＝3.922×109Ｋｍ
螺旋回転速度＝(3.922×109Ｋｍ)1/2=6.263×104Km
公転速度＝6.263×104Ｋｍ×0.112＝7.014×103Ｋｍ
よって、
体積がそのままリングになったとき、螺旋回転速度は秒速1.980×105Ｋｍで、公転速度は秒速2.218×104Ｋｍです。
体積が1000倍になり、リングになったとき、螺旋回転速度は秒速6.263×104Ｋｍで、公転速度は秒速7.014×103Ｋｍです。
△中位の腕の場合。
中位の腕の中心のブラックホールの質量は、5.252×103太陽質量です。
これは、5.252×103＝100.7204×103＝103.7204、です。
体積がそのままリングになったとき、ｒは5.16×1012Ｋｍです。
螺旋回転速度2＝5.4×1018＋2n/3J・Ｋｍ÷半径×79.7=5.4×1018×102×3.7204÷3 J・Ｋｍ÷(5.16×1012Ｋｍ)×79.7＝8.341×107×102.4803Ｊ＝8.341×107＋2×100.4803Ｊ＝8.341×109×3.022Ｊ＝2.521×1010Ｋｍ
螺旋回転速度＝(2.521×1010Ｋｍ)1/2=1.588×105Ｋｍ
公転速度＝螺旋回転速度×0.112＝1.588×105Ｋｍ×0.112＝1.778×104Ｋｍ
体積が1000倍になり、リングになったとき、ｒは5.16×1013Ｋｍです。
螺旋回転速度2＝5.4×1018×102×3.7204÷3 J・Ｋｍ÷(5.16×1013Ｋｍ)×79.7＝2.521×109Ｋｍ
螺旋回転速度＝(2.521×109Ｋｍ)1/2=5.021×104Km
公転速度＝5.021×104Ｋｍ×0.112＝5.623×103Ｋｍ
よって、
体積がそのままリングになったとき、螺旋回転速度は秒速1.588×105Ｋｍで、公転速度は秒速1.778×104Ｋｍです。
体積が1000倍になり、リングになったとき、螺旋回転速度は秒速5.021×104Ｋｍで、公転速度は秒速5.623×103Ｋｍです。
△小さい腕の場合。
小さい腕の中心のブラックホールの質量は、1.558×103太陽質量です。
これは、1.558×103＝100.1925×103＝103.1925、です。
体積がそのままリングになったとき、ｒは3.69×1012Ｋｍです。
螺旋回転速度2＝5.4×1018＋2n/3J・Ｋｍ÷半径×79.7=5.4×1018×102×3.1925÷3 J・Ｋｍ÷(3.69×1012Ｋｍ)×79.7＝1.463×107×102.1283Ｊ＝1.463×107＋2×100.1283Ｊ＝1.463×109×1.344Ｊ＝1.966×109Ｋｍ
螺旋回転速度＝(1.966×109Ｋｍ)1/2=4.434×104Ｋｍ
公転速度＝螺旋回転速度×0.112＝4.434×104Ｋｍ×0.112＝4.966×103Ｋｍ
体積が1000倍になり、リングになったとき、ｒは3.69×1013Ｋｍです。
螺旋回転速度2＝5.4×1018×102×3.1925÷3 J・Ｋｍ÷(3.69×1013Ｋｍ)×79.7＝1.966×108Ｋｍ
螺旋回転速度＝(1.966×108Ｋｍ)1/2=1.402×104Km
公転速度＝1.402×104Ｋｍ×0.112＝1.570×103Ｋｍ
よって、
体積がそのままリングになったとき、螺旋回転速度は秒速4.434×104Ｋｍで、公転速度は秒速4.966×103Ｋｍです。
体積が1000倍になり、リングになったとき、螺旋回転速度は秒速1.402×104Ｋｍで、公転速度は秒速1.57×103Ｋｍです。
まとめて表に示す。
【表２１】
2009005580.tif 000023
２０．  螺旋回転速度2と半径の式はどのようであるか。腕の螺旋回転速度が光速より小さいとき、腕の半径はいくらか。
△大きい腕の場合。
・螺旋回転速度2と半径の式はどのようであるか。
大きい腕の中心のブラックホールの質量は、1.247×104太陽質量です。
これは、1.247×104＝100.0958×104＝104.0958、です。
螺旋回転速度2＝5.4×1018＋2n/3J・Ｋｍ÷半径×79.7=5.4×1018×102×4.0958÷3 J・Ｋｍ÷半径×79.7＝5.4×1018×102.7305
J・Ｋｍ÷半径×79.7＝4.304×1020＋2×100.7305Ｊ・Ｋｍ÷半径＝4.304×1022×5.376Ｊ・Ｋｍ÷半径＝2.314×1023Ｊ・Ｋｍ÷半径
螺旋回転速度2と半径の式は、螺旋回転速度2＝2.314×1023Ｊ・Ｋｍ÷半径、です。
・腕の螺旋回転速度が光速より小さいとき、腕の半径はいくらか。
螺旋回転速度2＝(3×105Ｋｍ)2＝2.314×1023Ｊ・Ｋｍ÷半径
半径＝2.314×1023Ｊ・Ｋｍ÷(3×105Ｋｍ)2＝2.571×1012Ｋｍ
半径が2.571×1012Ｋｍ以上のとき、螺旋回転速度は光速以下になる。
△中位の腕の場合。
・螺旋回転速度2と半径の式はどのようであるか。
中位の腕の中心のブラックホールの質量は、5.252×103太陽質量です。
これは、5.252×103＝100.7204×103＝103.7204、です。
螺旋回転速度2＝5.4×1018＋2n/3J・Ｋｍ÷半径×79.7=5.4×1018×102×3.7204÷3 J・Ｋｍ÷半径×79.7＝5.4×1018×102.4803J・Ｋｍ÷半径×79.7＝4.304×1020＋2×100.4803Ｊ・Ｋｍ÷半径＝4.304×1022×3.022Ｊ・Ｋｍ÷半径＝1.301×1023Ｊ・Ｋｍ÷半径
螺旋回転速度2と半径の式は、螺旋回転速度2＝1.301×1023Ｊ・Ｋｍ÷半径、です。
・腕の螺旋回転速度が光速より小さいとき、腕の半径はいくらか。
螺旋回転速度2＝(3×105Ｋｍ)2＝1.301×1023Ｊ・Ｋｍ÷半径
半径＝1.301×1023Ｊ・Ｋｍ÷(3×105Ｋｍ)2＝1.446×1012Ｋｍ
半径が1.446×1012Ｋｍ以上のとき、螺旋回転速度は光速以下になる。
△小さい腕の場合。
・螺旋回転速度2と半径の式はどのようであるか。
小さい腕の中心のブラックホールの質量は、1.558×103太陽質量です。
これは、1.558×103＝100.1925×103＝103.1925、です。
5.4×1018＋2n/3J・Ｋｍ÷半径×79.7=5.4×1018×102×3.1925÷3 J・Ｋｍ÷半径×79.7＝5.4×1018×102.1283J・Ｋｍ÷半径×79.7＝4.304×1020＋2×100.1283Ｊ・Ｋｍ÷半径＝4.304×1022×1.344Ｊ・Ｋｍ÷半径＝5.785×1022Ｊ・Ｋｍ÷半径
螺旋回転速度2と半径の式は、螺旋回転速度2＝5.785×1022Ｊ・Ｋｍ÷半径
・腕の螺旋回転速度が光速より小さいとき、腕の半径はいくらか。
螺旋回転速度2＝(3×105Ｋｍ)2＝5.785×1022Ｊ・Ｋｍ÷半径
半径＝5.785×1022Ｊ・Ｋｍ÷(3×105Ｋｍ)2＝6.427×1011Ｋｍ
半径が6.427×1011Ｋｍ以上のとき、螺旋回転速度は光速以下になる。
このことを表に示す。
【表２２】
2009005580.tif 000024
２１．  腕の半径と螺旋回転の速度と公転速度を求める。
△大きい腕の場合。
螺旋回転速度2＝2.314×1023Ｊ・Ｋｍ÷半径、の式により、半径が1012Ｋｍと、1013Ｋｍと、1014Ｋｍと、1015Ｋｍと、1016Ｋｍの場合の螺旋速度を計算する。
半径が1012Ｋｍの場合。
螺旋回転速度2＝2.314×1023Ｊ・Ｋｍ÷1012Ｋｍ＝2.314×1011Ｊ
螺旋回転速度＝(2.314×1011)1/2Ｋｍ=4.810×105Ｋｍ
公転速度＝4.810×105Ｋｍ×0.112＝5.388×104Ｋｍ
半径が1013Ｋｍの場合。
螺旋回転速度2＝2.314×1023Ｊ・Ｋｍ÷1013Ｋｍ＝2.314×1010Ｊ
螺旋回転速度＝(2.314×1010)1/2Ｋｍ=1.521×105Ｋｍ
公転速度＝1.521×105Ｋｍ×0.112＝1.704×104Ｋｍ
半径が1014Ｋｍの場合。
螺旋回転速度2＝2.314×1023Ｊ・Ｋｍ÷1014Ｋｍ＝2.314×109Ｊ
螺旋回転速度＝(2.314×109)1/2Ｋｍ=4.810×104Ｋｍ
公転速度＝4.810×104Ｋｍ×0.112＝5.388×103Ｋｍ
半径が1015Ｋｍの場合。
螺旋回転速度2＝2.314×1023Ｊ・Ｋｍ÷1015Ｋｍ＝2.314×108Ｊ
螺旋回転速度＝(2.314×108)1/2Ｋｍ=1.521×104Ｋｍ
公転速度＝1.521×104Ｋｍ×0.112＝1.704×103Ｋｍ
半径が1016Ｋｍの場合。
螺旋回転速度2＝2.314×1023Ｊ・Ｋｍ÷1016Ｋｍ＝2.314×107Ｊ
螺旋回転速度＝(2.314×107)1/2Ｋｍ=4.810×103Ｋｍ
公転速度＝4.810×103Ｋｍ×0.112＝5.388×102Ｋｍ
△中位の腕の場合。
螺旋回転速度2＝1.301×1023Ｊ・Ｋｍ÷半径、の式により、半径が1012Ｋｍと、1013Ｋｍと、1014Ｋｍと、1015Ｋｍと、1016Ｋｍの場合の螺旋速度を計算する。
半径が1012Ｋｍの場合。
螺旋回転速度2＝1.301×1023Ｊ・Ｋｍ÷1012Ｋｍ＝1.301×1011Ｊ
螺旋回転速度＝(1.301×1011Km)1/2=3.607×105Ｋｍ
公転速度＝3.607×105Ｋｍ×0.112＝4.040×104Ｋｍ
半径が1013Ｋｍの場合。
螺旋回転速度2＝1.301×1023Ｊ・Ｋｍ÷1013Ｋｍ＝1.301×1010Ｊ
螺旋回転速度＝(1.301×1010Km)1/2=1.140×105Ｋｍ
公転速度＝1.140×105Ｋｍ×0.112＝1.277×104Ｋｍ
半径が1014Ｋｍの場合。
螺旋回転速度2＝1.301×1023Ｊ・Ｋｍ÷1014Ｋｍ＝1.301×109Ｊ
螺旋回転速度＝(1.301×109Km)1/2=3.607×104Ｋｍ
公転速度＝3.607×104Ｋｍ×0.112＝4.040×103Ｋｍ
半径が1015Ｋｍの場合。
螺旋回転速度2＝1.301×1023Ｊ・Ｋｍ÷1015Ｋｍ＝1.301×108Ｊ
螺旋回転速度＝(1.301×108Km)1/2=1.140×104Ｋｍ
公転速度＝1.140×104Ｋｍ×0.112＝1.277×103Ｋｍ
半径が1016Ｋｍの場合。
螺旋回転速度2＝1.301×1023Ｊ・Ｋｍ÷1016Ｋｍ＝1.301×107Ｊ
螺旋回転速度＝(1.301×107Km)1/2=3.607×103Ｋｍ
公転速度＝3.607×103Ｋｍ×0.112＝4.040×102Ｋｍ
△小さい腕の場合。
螺旋回転速度2＝5.785×1022Ｊ・Ｋｍ÷半径、の式により、半径が1012Ｋｍと、1013Ｋｍと、1014Ｋｍと、1015Ｋｍと、1016Ｋｍの場合の螺旋速度を計算する。
半径が1012Ｋｍの場合。
螺旋回転速度2＝5.785×1022Ｊ・Ｋｍ÷1012Ｋｍ＝5.875×1010Ｊ
螺旋回転速度＝(5.785×1010Km)1/2=2.405×105Ｋｍ
公転速度＝2.405×105Ｋｍ×0.112＝2.694×104Ｋｍ
半径が1013Ｋｍの場合。
螺旋回転速度2＝5.785×1022Ｊ・Ｋｍ÷1013Ｋｍ＝5.875×109Ｊ
螺旋回転速度＝(5.785×109Km)1/2=7.606×104Ｋｍ
公転速度＝7.606×104Ｋｍ×0.112＝8.519×103Ｋｍ
半径が1014Ｋｍの場合。
螺旋回転速度2＝5.785×1022Ｊ・Ｋｍ÷1014Ｋｍ＝5.875×108Ｊ
螺旋回転速度＝(5.785×108Km)1/2=2.405×104Ｋｍ
公転速度＝2.405×104Ｋｍ×0.112＝2.694×103Ｋｍ
半径が1015Ｋｍの場合。
螺旋回転速度2＝5.785×1022Ｊ・Ｋｍ÷1015Ｋｍ＝5.875×107Ｊ
螺旋回転速度＝(5.785×107Km)1/2=7.606×103Ｋｍ
公転速度＝7.606×103Ｋｍ×0.112＝8.519×102Ｋｍ
半径が1016Ｋｍの場合。
螺旋回転速度2＝5.785×1022Ｊ・Ｋｍ÷1016Ｋｍ＝5.875×106Ｊ
螺旋回転速度＝(5.785×106Km)1/2=2.405×103Ｋｍ
公転速度＝2.405×103Ｋｍ×0.112＝2.694×102Ｋｍ
まとめて表に示す。
【表２３】
2009005580.tif 000025
２２．  腕は、腕の球体の軌道が腕のリングに成り、腕のリングがクエーサーのブラックホールの引力に引かれてできた。クエーサーの引力と、大きい腕のリングの中心のブラックホールの引力、中位の腕のリングの中心のブラックホールの引力、小さい腕のリングの中心のブラックホールの引力はいくらか。
私は、2008年1月4日に提出した、特願2008−23309の「請求項29」において、クエーサーの引力や、大きな腕になった大きな軌道の引力や、中位の腕になった中位の軌道の引力や、小さい腕になった小さい軌道の引力を求めた。クエーサーと大きな軌道の間の引力と、クエーサーと中位の軌道の間の引力と、ククエーサーと小さい軌道の間の引力を求めた。
この方法に従って求める。
今回はブラックホールの質量は変わらないとする。
・クエーサーの引力はいくらか。
引力は、中心のブラックホールから出発する磁気の光子のエネルギーです。
クエーサーのブラックホールの質量は、太陽質量の106倍ですから、
クエーサーの引力＝ブラックホールから出発する磁気の光子のエネルギー＝1束の磁気の光子のエネルギー×ブラックホールの表面の原子数＝10−25Ｊ×5.438×1038＋2×6/3個＝5.438×1017Ｊ
クエーサーの引力は、5.438×1017Ｊです。
・大きい腕のリングの中心のブラックホールの引力はいくらか。
大きい腕のリングの中心のブラックホールの質量は1.247×104太陽質量ですから、
1.247×104＝104.0958。
大きい腕のリングの中心のブラックホールの引力＝ブラックホールから出発する磁気の光子のエネルギー＝1束の磁気の光子のエネルギー×ブラックホールの表面の原子数＝10−25Ｊ×5.438×1038＋2×4.0958/3個=5.438×1013Ｊ×102.7305＝5.438×1015Ｊ×100.7305＝5.438×1015×5.376＝2.923×1016Ｊ
大きい腕のリングの中心のブラックホールの引力は、2.923×1016Ｊです。
・中位の腕のリングの中心のブラックホールの引力はいくらか。
中位の腕のリングの中心のブラックホールの質量は、5.252×103太陽質量ですから、5.252×103＝103.7204。
中位の腕のリングの中心のブラックホールの引力＝ブラックホールから出発する磁気の光子のエネルギー＝1束の磁気の光子のエネルギー×ブラックホールの表面の原子数＝10−25Ｊ×5.438×1038＋2×3.7204/3個=5.438×1013Ｊ×102.4803＝5.438×1015Ｊ×100.4803＝5.438×1015×3.022＝1.643×1016Ｊ
中位の腕のリングの中心のブラックホールの引力は、1.643×1016Ｊです。
・小さい腕のリングの中心のブラックホールの引力はいくらか。
小さい腕のリングの中心のブラックホールの質量は、1.558×103太陽質量ですから、1.558×103＝103.1925。
小さい腕のリングの中心のブラックホールの引力＝ブラックホールから出発する磁気の光子のエネルギー＝1束の磁気の光子のエネルギー×ブラックホールの表面の原子数＝10−25Ｊ×5.438×1038＋2×3.1925/3個=5.438×1013Ｊ×102.1283＝5.438×1015Ｊ×100.1283＝5.438×1015×1.344＝7.309×1015Ｊ
小さい腕のリングの中心のブラックホールの引力は、7.309×1015Ｊです。
２３．  クエーサーのブラックホールと大きい腕のリングのブラックホールの間の引力はいくらか。クエーサーのブラックホールと中位の腕のリングのブラックホールの間の引力はいくらか。クエーサーのブラックホールと小さい腕のリングのブラックホールの間の引力はいくらか。
・クエーサーのブラックホールと大きい腕のリングのブラックホールの間の引力はいくらか。
クエーサーのブラックホールと大きい腕のリングの間の距離は、Ｒ＝9.44×1016ｍです。
引力＝クエーサーのブラックホールの引力×大きい腕のリングのブラックホールの引力÷クエーサーのブラックホールと大きい腕のリングの間の距離2＝5.438×1017Ｊ×2.923×1016Ｊ÷(9.44×1016ｍ)2＝1.590×1034Ｊ÷(8.911×1033ｍ)＝1.784Ｎ
クエーサーのブラックホールと大きい腕のリングのブラックホールの間の引力は、1.784Ｎです。
・クエーサーのブラックホールと中位の腕のリングのブラックホールの間の引力はいくらか。
クエーサーのブラックホールと中位の腕のリングの間の距離は、Ｒ＝6.19×1016ｍです。
引力＝クエーサーのブラックホールの引力×中位の腕のリングのブラックホールの引力÷クエーサーのブラックホールと中位の腕のリングの間の距離2＝5.438×1017Ｊ×1.643×1016Ｊ÷(6.19×1016ｍ)2＝8.935×1033Ｊ÷(3.832×1033ｍ)＝2.332Ｎ
クエーサーのブラックホールと中位の腕のリングのブラックホールの間の引力は、2.332Ｎです。
・クエーサーのブラックホールと小さい腕のリングのブラックホールの間の引力はいくらか。
クエーサーのブラックホールと小さい腕のリングの間の距離は、Ｒ＝2.95×1016ｍです。
引力＝クエーサーのブラックホールの引力×小さい腕のリングのブラックホールの引力÷クエーサーのブラックホールと小さい腕のリングの間の距離2＝5.438×1017Ｊ×7.309×1016Ｊ÷(2.95×1016ｍ)2＝3.975×1033Ｊ÷(8.7025×1032ｍ)＝4.568Ｎ
クエーサーのブラックホールと小さい腕のリングのブラックホールの間の引力は、4.568Ｎです。
まとめて表に示す。
【表２４】
2009005580.tif 000026
Ｒは腕の球体の軌道の体積が変わらず、そのまま腕のリングになった場合です。
体積が1000倍になり、リングになった場合のＲは、10Ｒですから、引力は、
÷Ｒ2で、10−2倍になります。
それで、Ｒが小さいほど引力は大きいので、リングの大きさが小さい時、リングはクエーサーの中心のブラックホールに引かれて、腕に成った、と考えます。
リングの中心のブラックホールの質量の大きい部分がクエーサーの中心のブラックホールに引かれた。
２４．  私は、2007年8月25日に提出した、特願2007−246139の「請求項16」に記した、クエーサーの中央部の過去と未来、は間違いです。
これを訂正する。
クエーサーの過去と未来。
宇宙の時代を電子のラブの公転軌道で示し、各々の時代の軌道を1ｍ3の原子数で示す。
但し、倍数は太陽の質量の倍数を示す。
【表２５】
2009005580.tif 000027
2009005580.tif 000028
2009005580.tif 000029
【図面の簡単な説明】
【０００７】
【図１】3キロパーセク・アーム、中心から2000光年のガス円盤、1000光年の高密度の分子雲のリング、10光年のリングの性質を示す。
【表２６】
2009005580.tif 000030
【図２】10−16ｍ時代の腕の軌道の体積が腕のリングになり、更に、腕に成った事を図示する。
【表２７】
2009005580.tif 000031
2009005580.tif 000032
軌道の体積が変わらず、リングになった場合を図示する。
【符号の説明】
【０００８】
１  3キロパーセク・アーム
２  中心から2000光年のガス円盤
３  中心から1000光年の高密度の分子雲のリング
４  中心から10光年のリング
５  3キロパーセク・アームの中心のブラックホールの軌道
６  2000光年のガス円盤の中心のブラックホールの軌道
７  1000光年の高密度の分子雲のリングの中心のブラックホールの軌道
８  10光年のリングの中心のブラックホールの軌道
９  3キロパーセク・アームの螺旋回転速度は1339Ｋｍ
１０  2000光年のガス円盤の螺旋回転速度は1785.7Ｋｍ
１１  1000光年のリングの螺旋回転速度は446.4Ｋｍ
１２  10光年のリングの螺旋回転速度は892.9Ｋｍ
１３  10−16ｍ時代の大きい腕の軌道の半径
１４  10−16ｍ時代の中位の腕の軌道の半径
１５  10−16ｍ時代の小さい腕の軌道の半径
１６  1.114×1013Ｋｍの軌道
１７  10−16ｍ時代の大きい腕の軌道の体積
１８  10−16ｍ時代の中位の腕の軌道の体積
１９  10−16ｍ時代の小さい腕の軌道の体積
２０  10−16ｍ時代の大きい腕の軌道の体積が大きい腕のリングに成る。
２１  10−16ｍ時代の中位の腕の軌道の体積が中位の腕のリングに成る。
２２  10−16ｍ時代の小さい腕の軌道の体積が小さい腕のリングになる。
２３  大きい腕のリング
２４  中位の腕のリング
２５  小さい腕のリング
２６  大きい腕のリングの中央のブラックホールの軌道
２７  中位の腕のリングの中央のブラックホールの軌道
２８  小さい腕のリングの中央のブラックホールの軌道
２９  大きい腕のリングの螺旋回転
３０  中位の腕のリングの螺鈿回転
３１  小さい腕のリングの螺旋回転
３２  クエーサーの中心のブラックホール
３３  クエーサーのブラックホールと、大きい腕のリングのブラックホールの間の引力
３４  クエーサーのブラックホールと、中位の腕のリングのブラックホールの間の引力
３５  クエーサーのブラックホールと、小さい腕のリングのブラックホールの間の引力
【図１】
2009005580.tif 000049
【図２】
2009005580.tif 000050